(57)【要約】  様々な態様は、ワイヤレス通信デバイスのトランシーバによって、プライマリサービスのためのプライマリサービスプリファレンスおよびセカンダリサービスのためのセカンダリサービスプリファレンスのインジケーションを送信することと、トランシーバによって、プライマリサービスプリファレンスおよびセカンダリサービスプリファレンスの送信されたインジケーションに少なくとも部分的に応答して、ネットワークから無線アクセス技術サポート構成を受信することと、チャネルレイヤ構成に少なくとも部分的に基づいて、プライマリサービスまたはセカンダリサービスをサポートすることと、を含む。このようにして、ワイヤレス通信デバイスは、ネットワークに複数のランク付けされたサービスプリファレンスを提供し、これにより、ネットワークダウン選択が必要とされる場合、ネットワークは、どの設定がワイヤレス通信デバイスにとって最も効率的であるかについての知識なしにチャネルレイヤ構成を生成するのではなく、より低くランク付けされたサービスプリファレンスを選択し得る。【選択図】図１
2021502024.tif 000002
【特許請求の範囲】
【請求項１】
ワイヤレス通信ネットワークダウン選択の方法であって、
ワイヤレス通信デバイスのトランシーバによって、プライマリサービスのためのプライマリサービスプリファレンスおよびセカンダリサービスのためのセカンダリサービスプリファレンスのインジケーションを送信することと、
前記トランシーバによって、前記プライマリサービスプリファレンスおよび前記セカンダリサービスプリファレンスの前記送信されたインジケーションに少なくとも部分的に応答して、ネットワークからチャネルレイヤ構成を受信することと、
前記チャネルレイヤ構成に少なくとも部分的に基づいて、前記プライマリサービスまたは前記セカンダリサービスをサポートすることと
を備える方法。
【請求項２】
前記ワイヤレス通信デバイスによって、前記ネットワークに関連付けられたチャネルのステータス特性を測定することをさらに備え、ここにおいて、前記プライマリサービスプリファレンスおよび前記セカンダリサービスプリファレンスは、前記ネットワークの前記測定されたステータス特性に少なくとも部分的に基づく、請求項１に記載の方法。
【請求項３】
前記ワイヤレス通信デバイスによって、前記ネットワークに関連付けられた前記チャネルの前記ステータス特性を測定することは、ロングタームエボリューション（ＬＴＥ）ネットワークの知覚されたチャネルの特性を測定することを備える、請求項２に記載の方法。
【請求項４】
前記ワイヤレス通信デバイスの前記トランシーバによって、前記プライマリサービスプリファレンスおよび前記セカンダリサービスプリファレンスの前記インジケーションを送信することは、チャネル状態情報（ＣＳＩ）を送信すること備え、ここにおいて、前記プライマリサービスプリファレンスは、第１のプリコーディング行列インジケータ（ＰＭＩ）および第１のランクインジケータ（ＲＩ）を含み、前記セカンダリサービスプリファレンスは、第２のＰＭＩおよび第２のＲＩを含む、請求項１に記載の方法。
【請求項５】
前記ワイヤレス通信デバイスの前記トランシーバによって、前記プライマリサービスプリファレンスおよび前記セカンダリサービスプリファレンスの前記インジケーションを送信することは、前記ネットワークの前記測定されたステータス特性に少なくとも部分的に基づく、請求項２に記載の方法。
【請求項６】
前記プライマリサービスプリファレンスは、前記ワイヤレス通信デバイスの１つまたは複数の無線アクセス技術（ＲＡＴ）およびアンテナの第１の構成に関連付けられ、前記セカンダリサービスプリファレンスは、１つまたは複数のＲＡＴおよびアンテナの第２の構成に関連付けられる、請求項１に記載の方法。
【請求項７】
前記チャネルレイヤ構成は、ネットワーク容量と、前記送信されたプライマリサービスプリファレンスおよび前記送信されたセカンダリサービスプリファレンスとに少なくとも部分的に基づいて選択された、前記ネットワークによって採用されたチャネル容量のインジケーションを含む、請求項１に記載の方法。
【請求項８】
前記チャネルレイヤ構成は、前記ネットワークダウン選択構成を可能にする、請求項１に記載の方法。
【請求項９】
前記チャネルレイヤ構成に少なくとも部分的に基づいて、前記プライマリサービスまたは前記セカンダリサービスをサポートすることは、識別されたＲＡＴを前記ワイヤレス通信デバイスの複数のアンテナに割り当てることを備える、請求項１に記載の方法。
【請求項１０】
前記プライマリサービスプリファレンスおよび前記セカンダリサービスプリファレンスの前記インジケーションは、チャネルレイヤの数と、前記所望のチャネルレイヤのためのＰＭＩとを含む、請求項１に記載の方法。
【請求項１１】
前記ワイヤレス通信デバイスの前記トランシーバによって、前記プライマリサービスプリファレンスおよび前記セカンダリサービスプリファレンスの前記インジケーションを送信することは、前記プライマリサービスプリファレンスおよび前記セカンダリサービスプリファレンスの前記インジケーションとともに、ネットワークステータス情報報告を送信することを備える、請求項１に記載の方法。
【請求項１２】
ワイヤレス通信のための装置であって、
トランシーバと、
命令を記憶したメモリと、
前記メモリと前記トランシーバとに結合された少なくとも１つのプロセッサと
を備え、前記少なくとも１つのプロセッサは、
前記トランシーバを介して、プライマリサービスのためのプライマリサービスプリファレンスおよびセカンダリサービスのためのセカンダリサービスプリファレンスのインジケーションを送信することと、
前記トランシーバを介して、前記プライマリサービスプリファレンスおよび前記セカンダリサービスプリファレンスの前記送信されたインジケーションに少なくとも部分的に応答して、ネットワークからチャネルレイヤ構成を受信することと、
前記チャネルレイヤ構成に少なくとも部分的に基づいて、前記プライマリサービスまたは前記セカンダリサービスをサポートすることと
を行うための前記命令を実行するように構成される、装置。
【請求項１３】
前記少なくとも１つのプロセッサは、前記ネットワークに関連付けられたチャネルのステータス特性を測定するようにさらに構成され、ここにおいて、前記プライマリサービスプリファレンスおよび前記セカンダリサービスプリファレンスは、前記ネットワークの前記測定されたステータス特性に少なくとも部分的に基づく、請求項１２に記載のワイヤレス通信デバイス。
【請求項１４】
前記少なくとも１つのプロセッサは、ロングタームエボリューション（ＬＴＥ）ネットワークの知覚されたチャネルの特性を測定することによって、前記チャネルの前記ステータス特性が前記ネットワークに関連付けられるようにさらに構成される、請求項１３に記載のワイヤレス通信デバイス。
【請求項１５】
前記少なくとも１つのプロセッサは、チャネル状態情報（ＣＳＩ）を送信することによって、前記プライマリサービスプリファレンスおよび前記セカンダリサービスプリファレンスの前記インジケーションを送信するようにさらに構成され、ここにおいて、前記プライマリサービスプリファレンスは、第１のプリコーディング行列インジケータ（ＰＭＩ）および第１のランクインジケータ（ＲＩ）を含み、前記セカンダリサービスプリファレンスは、第２のＰＭＩおよび第２のＲＩを含む、請求項１２に記載のワイヤレス通信デバイス。
【請求項１６】
前記少なくとも１つのプロセッサは、前記ネットワークの前記測定されたステータス特性に少なくとも部分的に基づいて、前記プライマリサービスプリファレンスおよび前記セカンダリサービスプリファレンスの前記インジケーションを送信するようにさらに構成される、請求項１３に記載のワイヤレス通信デバイス。
【請求項１７】
前記プライマリサービスプリファレンスは、前記ワイヤレス通信デバイスの１つまたは複数の無線アクセス技術（ＲＡＴ）およびアンテナの第１の構成に関連付けられ、前記セカンダリサービスプリファレンスは、１つまたは複数のＲＡＴおよびアンテナの第２の構成に関連付けられる、請求項１２に記載のワイヤレス通信デバイス。
【請求項１８】
前記チャネルレイヤ構成は、ネットワーク容量と、前記送信されたプライマリサービスプリファレンスおよび前記送信されたセカンダリサービスプリファレンスとに少なくとも部分的に基づいて選択された、前記ネットワークによって採用されたチャネル容量のインジケーションを含む、請求項１２に記載のワイヤレス通信デバイス。
【請求項１９】
前記チャネルレイヤ構成は、前記ネットワークダウン選択構成を可能にする、請求項１２に記載のワイヤレス通信デバイス。
【請求項２０】
前記少なくとも１つのプロセッサは、前記チャネルレイヤ構成に少なくとも部分的に基づいて、前記プライマリサービスまたは前記セカンダリサービスをサポートすることが、識別されたＲＡＴを前記ワイヤレス通信デバイスの複数のアンテナに割り当てることを備えるようにさらに構成される、請求項１２に記載のワイヤレス通信デバイス。
【請求項２１】
前記プライマリサービスプリファレンスおよび前記セカンダリサービスプリファレンスの前記インジケーションは、チャネルレイヤの数と、前記所望のチャネルレイヤのためのＰＭＩとを含む、請求項１２に記載のワイヤレス通信デバイス。
【請求項２２】
前記プロセッサは、前記プライマリサービスプリファレンスおよび前記セカンダリサービスプリファレンスの前記インジケーションとともに、ネットワークステータス情報報告を送信することによって、前記プライマリサービスプリファレンスおよび前記セカンダリサービスプリファレンスの前記インジケーションを送信するようにさらに構成される、請求項１２に記載のワイヤレス通信デバイス。
【請求項２３】
ワイヤレス通信デバイスであって、
プライマリサービスのためのプライマリサービスプリファレンスおよびセカンダリサービスのためのセカンダリサービスプリファレンスのインジケーションを送信するための手段と、
前記プライマリサービスプリファレンスおよび前記セカンダリサービスプリファレンスの前記送信されたインジケーションに少なくとも部分的に応答して、ネットワークからチャネルレイヤ構成を受信するための手段と、
前記チャネルレイヤ構成に少なくとも部分的に基づいて、前記プライマリサービスまたは前記セカンダリサービスをサポートするための手段と
を備えるワイヤレス通信デバイス。
【請求項２４】
前記ネットワークに関連付けられたチャネルのステータス特性を測定するための手段をさらに備え、ここにおいて、前記プライマリサービスプリファレンスおよび前記セカンダリサービスプリファレンスは、前記ネットワークの前記測定されたステータス特性に少なくとも部分的に基づく、請求項２３に記載のワイヤレス通信デバイス。
【請求項２５】
前記ネットワークに関連付けられた前記チャネルの前記ステータス特性を前記測定するための手段は、ロングタームエボリューション（ＬＴＥ）ネットワークの知覚されたチャネルの特性を測定するために構成される、請求項２４に記載のワイヤレス通信デバイス。
【請求項２６】
前記プライマリサービスプリファレンスおよび前記セカンダリサービスプリファレンスの前記インジケーションを前記送信するための手段は、チャネル状態情報（ＣＳＩ）を送信するように構成され、ここにおいて、前記プライマリサービスプリファレンスは、第１のプリコーディング行列インジケータ（ＰＭＩ）および第１のランクインジケータ（ＲＩ）を含み、前記セカンダリサービスプリファレンスは、第２のＰＭＩおよび第２のＲＩを含む、請求項２３に記載のワイヤレス通信デバイス。
【請求項２７】
前記プライマリサービスプリファレンスおよび前記セカンダリサービスプリファレンスの前記インジケーションを送信することは、前記ネットワークの前記測定されたステータス特性に少なくとも部分的に基づく、請求項２４に記載のワイヤレス通信デバイス。
【請求項２８】
前記プライマリサービスプリファレンスは、前記ワイヤレス通信デバイスの１つまたは複数の（無線アクセス技術）ＲＡＴおよびアンテナの第１の構成に関連付けられ、前記セカンダリサービスプリファレンスは、１つまたは複数のＲＡＴおよびアンテナの第２の構成に関連付けられる、請求項２３に記載のワイヤレス通信デバイス。
【請求項２９】
前記チャネルレイヤ構成は、ネットワーク容量と、前記送信されたプライマリサービスプリファレンスおよび前記送信されたセカンダリサービスプリファレンスとに少なくとも部分的に基づいて選択された、前記ネットワークによって採用されたチャネル容量のインジケーションを含む、請求項２３に記載のワイヤレス通信デバイス。
【請求項３０】
前記チャネルレイヤ構成は、前記ネットワークダウン選択構成を可能にする、請求項２３に記載のワイヤレス通信デバイス。
【請求項３１】
前記チャネルレイヤ構成に少なくとも部分的に基づいて、前記プライマリサービスまたは前記セカンダリサービスを前記サポートするための手段は、識別されたＲＡＴを前記ワイヤレス通信デバイスの複数のアンテナに割り当てるために構成される、請求項２３に記載のワイヤレス通信デバイス。
【請求項３２】
前記プライマリサービスプリファレンスおよび前記セカンダリサービスプリファレンスの前記インジケーションは、チャネルレイヤの数と、前記所望のチャネルレイヤのためのＰＭＩとを含む、請求項２３に記載のワイヤレス通信デバイス。
【請求項３３】
前記プライマリサービスプリファレンスおよび前記セカンダリサービスプリファレンスの前記インジケーションを前記送信するための手段は、前記プライマリサービスプリファレンスの前記インジケーションおよび前記セカンダリサービスプリファレンスの前記インジケーションとともに、ネットワークステータス情報報告を送信するように構成される、請求項２３に記載のワイヤレス通信デバイス。
【請求項３４】
プロセッサによって実行可能なコンピュータ実行可能コードを記憶したコンピュータ可読媒体であって、
プライマリサービスのためのプライマリサービスプリファレンスおよびセカンダリサービスのためのセカンダリサービスプリファレンスのインジケーションを送信することと、
前記プライマリサービスプリファレンスおよび前記セカンダリサービスプリファレンスの前記送信されたインジケーションに少なくとも部分的に応答して、ネットワークからチャネルレイヤ構成を受信することと、
前記チャネルレイヤ構成に少なくとも部分的に基づいて、前記プライマリサービスまたは前記セカンダリサービスをサポートすることと
を行うためのコードを備える、コンピュータ可読媒体。
【請求項３５】
前記ネットワークに関連付けられたチャネルのステータス特性を測定するためのコードをさらに備え、ここにおいて、前記プライマリサービスプリファレンスおよび前記セカンダリサービスプリファレンスは、前記ネットワークの前記測定されたステータス特性に少なくとも部分的に基づく、請求項３４に記載のコンピュータ可読媒体。
【請求項３６】
前記ネットワークに関連付けられた前記チャネルの前記ステータス特性を測定することは、ロングタームエボリューション（ＬＴＥ）ネットワークの知覚されたチャネルの特性を測定することを備える、請求項３５に記載のコンピュータ可読媒体。
【請求項３７】
前記プライマリサービスプリファレンスおよび前記セカンダリサービスプリファレンスの前記インジケーションを送信することは、チャネル状態情報（ＣＳＩ）を送信すること備え、ここにおいて、前記プライマリサービスプリファレンスは、第１のプリコーディング行列インジケータ（ＰＭＩ）および第１のランクインジケータ（ＲＩ）を含み、前記セカンダリサービスプリファレンスは、第２のＰＭＩおよび第２のＲＩを含む、請求項３４に記載のコンピュータ可読媒体。
【請求項３８】
前記プライマリサービスプリファレンスおよび前記セカンダリサービスプリファレンスの前記インジケーションを送信することは、前記ネットワークの前記測定されたステータス特性に少なくとも部分的に基づく、請求項３５に記載のコンピュータ可読媒体。
【請求項３９】
前記プライマリサービスプリファレンスは、前記ワイヤレス通信デバイスの１つまたは複数の（無線アクセス技術（ＲＡＴ）およびアンテナの第１の構成に関連付けられ、前記セカンダリサービスプリファレンスは、１つまたは複数のＲＡＴおよびアンテナの第２の構成に関連付けられる、請求項３４に記載のコンピュータ可読媒体。
【請求項４０】
前記チャネルレイヤ構成は、ネットワーク容量と、前記送信されたプライマリサービスプリファレンスおよび前記送信されたセカンダリサービスプリファレンスとに少なくとも部分的に基づいて選択された、前記ネットワークによって採用されたチャネル容量のインジケーションを含む、請求項３４に記載のコンピュータ可読媒体。
【請求項４１】
前記チャネルレイヤ構成は、前記ネットワークダウン選択構成を可能にする、請求項３４に記載のコンピュータ可読媒体。
【請求項４２】
前記チャネルレイヤ構成に少なくとも部分的に基づいて、前記プライマリサービスまたは前記セカンダリサービスをサポートすることは、識別されたＲＡＴを前記ワイヤレス通信デバイスの複数のアンテナに割り当てることを備える、請求項３４に記載のコンピュータ可読媒体。
【請求項４３】
前記プライマリサービスプリファレンスおよび前記セカンダリサービスプリファレンスの前記インジケーションは、チャネルレイヤの数と、前記所望のチャネルレイヤのためのＰＭＩとを含む、請求項３４に記載のコンピュータ可読媒体。
【請求項４４】
前記プライマリサービスプリファレンスおよび前記セカンダリサービスプリファレンスの前記インジケーションを送信することは、前記プライマリサービスプリファレンスおよび前記セカンダリサービスプリファレンスの前記インジケーションとともに、ネットワークステータス情報報告を送信することを備える、請求項３５に記載のコンピュータ可読媒体。
【発明の詳細な説明】
【関連出願の相互参照】
【０００１】
[0001]  本願は、２０１７年１１月２日に出願された「NETWORK DOWN SELECTION USING CHANNEL STATE FEEDBACK」と題する米国仮特許出願第６２／５８０，９４１号、および２０１８年１０月３１日に出願された「CHANNEL STATE FEEDBACK WITH NETWORK DOWN SELECTION ALTERNATIVES」と題する米国特許出願第１６／１７６，９２５号の利益を主張し、これらは、その全体が参照により明確に組み込まれている。
【背景技術】
【０００２】
[0002]  ワイヤレス通信システムは、電話通信、ビデオ、データ、メッセージング、およびブロードキャストなどの様々な電気通信サービスを提供するために広く展開されている。典型的なワイヤレス通信システムは、利用可能なシステムリソースを共有することによって複数のユーザとの通信をサポートすることが可能な多元接続技術を用い得る。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００３】
[0003]  これらの多元接続技術は、異なるワイヤレスデバイスが都市、国家、地域、さらには地球レベルで通信することを可能にする共通プロトコルを提供するために、様々な電気通信規格において採用されてきた。例となる電気通信規格が、ロングタームエボリューション（ＬＴＥ（登録商標））である。ＬＴＥは、第３世代パートナーシッププロジェクト（３ＧＰＰ（登録商標））によって公表されたユニバーサルモバイルテレコミュニケーションズシステム（ＵＭＴＳ）モバイル規格への拡張セットである。ＬＴＥは、改善されたスペクトル効率、下げられたコスト、およびダウンリンク上ではＯＦＤＭＡ、アップリンク上ではＳＣ−ＦＤＭＡを使用する改善されたサービス、ならびに多入力多出力（ＭＩＭＯ）アンテナ技術を通じてモバイルブロードバンドアクセスをサポートするように設計されている。しかしながら、モバイルブロードバンドアクセスに対する需要が増大し続けるにつれて、ＬＴＥ技術におけるさらなる改善が必要とされる。これらの改善はまた、他のマルチアクセス（multi-access）技術、およびこれらの技術を用いる電気通信規格に適用可能であり得る。多元接続技術はまた、５Ｇ／新無線（ＮＲ：New Radio）などの他の規格において採用され得る。
【０００４】
[0004]  ワイヤレス通信ネットワークでは、チャネル状態情報（ＣＳＩ：channel state information）は、通信リンクの既知のチャネルプロパティである。受信機と送信機との間でこの情報を交換することは、ネットワークコンポーネントが現在のチャネル状態に送信を適応させることを可能にし得る。このような送信の適応性は、マルチアンテナＵＥにおいて、高いデータレートで信頼できる通信を達成するために極めて重要である。
【０００５】
[0005]  ＣＳＩ情報は、信号が送信機から受信機へどのように伝搬するかを記述し、散乱、フェージング、および距離に伴う電力減衰の組み合わされた影響をさらに含み得る。ＣＳＩは、一般に、受信機によって推定され、量子化され、オプションとして分析され、その後、送信機へ返送され得る。送信機は、チャネルレイヤ（channel layer）などのネットワークリソース（network resource）を受信機（例えば、ＵＥ）のアンテナ（antenna）に割り当てる（assign）ために、受信されたＣＳＩを使用し得る。
【０００６】
[0006]  現在のネットワークチャネル容量が、既存のユーザおよびＵＥのチャネルレイヤ要求をサポートするのに不十分であるとき、送信機は「ダウン選択（down select）」し得る。ダウン選択は、受信機によって要求されるよりも少ないリソースの送信機による割当てを含む。様々な態様は、従来の解決策に存在するリソースの非効率性の問題を緩和し得る方法およびワイヤレス通信デバイス（wireless communications device）を提供する。様々な態様は、利用可能な物理リソースの利用を改善し、シグナリングの信頼性、および／またはデータ転送効率を増大させ得る。これは、ＵＥの様々なアンテナに割り当てられたＲＡＴによってサポートされる、ある特定のクラスのサービスのパフォーマンスを改善し、それによって全体的なエンドユーザエクスペリエンス（overall end user experience）を改善し得る。
【発明の概要】
【０００７】
[0007]  以下は、１つまたは複数の態様の基本的な理解を提供するために、そのような態様の簡略化された概要を提示する。この概要は、企図される全ての態様の広範な概観ではなく、また、全ての態様の主要または重要な要素を特定することも、任意または全ての態様の範囲を定めることも意図しない。その唯一の目的は、後に提示されるより詳細な説明への前置きとして、簡略化された形で１つまたは複数の態様のいくつかの概念を提示することである。
【０００８】
[0008]  ＵＥにおけるアンテナの数は、現代のＵＥのための同時ＲＡＴ（例えば、３Ｇ／ＬＴＥ／ＮＲ、ミリメートル波（ＭＭＷ：millimeter wave）、ワイヤレスフィデリティ（Ｗｉ−Ｆｉ）、アンライセンスＬＴＥ／ＮＲなど）に対するサポートとともに増大し続け、これらの各々は、アンテナコンポーネントの少なくともサブセットの使用を必要とする。いくつかのアンテナコンポーネントおよびトランシーバ（transceiver）処理部分が共有され得る。無線アクセス技術（ＲＡＴ：radio access technology）の切り替えおよびアンテナ負荷バランシングの複雑さの上昇は、物理ＵＥリソースの非効率的な使用およびネットワークシグナリングの信頼性の欠如をもたらす。このような問題は、ネットワーク（network）のダウングレード（down grading）またはダウン選択（down selection）の結果として生じ得る。これは、ネットワークが、ＵＥのアンテナまたはサブコンポーネントをサポートするためのネットワークリソースを求めるＵＥ要求を拒否し、代わりに、ＵＥの好ましいアンテナ構成の知識なしに、より少ない数のリソースを割り当てるときに生じる。結果は、しばしば、ＵＥのアンテナまたはサブコンポーネントを効率的に利用しない割当てとなり、それによって、ＵＥの電力および処理リソースを浪費する。
【０００９】
[0009]  様々な態様は、従来の解決策に存在するリソースの非効率性の問題を緩和し得る方法およびワイヤレス通信デバイスを提供する。様々な態様は、２つ以上のサービスプリファレンス（service preferences）を記憶することを含み、各サービスプリファレンスは、少なくともＰＭＩと、ワイヤレス通信デバイスのアンテナの通信をサポートする際に使用するためのネットワークチャネルの所望のレイヤ数とを含む。ＵＥがネットワークリソースを要求するとき、それは、そのプライマリサービスプリファレンス（primary service preference）および１つまたは複数のバックアップの（例えば、セカンダリ、ターシャリ（tertiary））サービスプリファレンスに関するインジケーション（indication）を送信し得る。ダウングレード／ダウン選択のための推奨（recommendations）をネットワークに提供することは、たとえ割当てがプライマリサービスプリファレンスではなかったとしても、ＵＥがＵＥにとって好ましい構成の割当てを取得することになる可能性を増大させ得る。したがって、たとえネットワークがプライマリサービスプリファレンスを採用しなかったとしても、ＵＥは、依然として、ＵＥが要求を行ったので、準最適ではあるが、依然としてリソース効率的であることをそれが知っている割当てを取得し得る。様々な態様は、１つまたは複数のＲＡＴを介してサービスをサポートするためのＵＥの好ましい構成の知識をネットワークに提供することによって、ＵＥのリソース使用、シグナリングの信頼性、およびサービスサポートを改善し得る。
【００１０】
[0010]  本開示のある態様では、方法、コンピュータ可読媒体（computer-readable medium）、および装置（apparatus）が提供される。ネットワークダウン選択（network down selection）のためのステップは、ワイヤレス通信デバイスのトランシーバによって、プライマリサービス（primary service）のためのプライマリサービスプリファレンスおよびセカンダリサービス（secondary service）のためのセカンダリサービスプリファレンス（secondary service preference）のインジケーションを送信することと、トランシーバによって、プライマリサービスプリファレンスおよびセカンダリサービスプリファレンスの送信されたインジケーションに少なくとも部分的に応答して、ネットワークからサポート構成（support configuration）を受信することと、チャネルレイヤ構成（channel layer configuration）に少なくとも部分的に基づいて、プライマリサービスまたはセカンダリサービスをサポートすることと、を含み得る。ＵＥがチャネルレイヤ構成のランク付けされたプリファレンス（例えば、サービスサポートプリファレンス）のインジケーションをネットワークに提供することを可能にすることによって、本開示は、ネットワークが、ネットワークリソース能力内に収まるが、依然としてサポーティングデバイスにとって望ましいチャネルレイヤ構成をダウン選択するためのメカニズムを提供する。
【００１１】
[0011]  前述および関連する目的の達成のために、１つまたは複数の態様が、以下で十分に説明されかつ特許請求の範囲において具体的に示される特徴を備える。以下の説明および添付の図面は、１つまたは複数の態様のある特定の例示的な特徴を詳細に示す。しかしながら、これらの特徴は、様々な態様の原理が用いられ得る様々な方法のうちのごく一部を示すものであり、本説明は、全てのこのような態様およびそれらの同等物を含むように意図される。
【図面の簡単な説明】
【００１２】
【図１】[0012]  図１は、ワイヤレス通信システムおよびアクセスネットワークの例を例示する図である。
【図２Ａ】[0013]  図２Ａは、ＬＴＥのＤＬフレーム構造の例を例示する図である。
【図２Ｂ】図２Ｂは、ＬＴＥのＤＬフレーム構造内のＤＬチャネルの例を例示する図である。
【図２Ｃ】図２Ｃは、ＬＴＥのＵＬフレーム構造の例を例示する図である。
【図２Ｄ】図２Ｄは、ＬＴＥのＵＬフレーム構造内のＵＬチャネルの例を例示する図である。
【図３】[0014]  図３は、アクセスネットワークにおける発展型ノードＢ（ｅＮＢ）とユーザ機器（ＵＥ：user equipment）との例を例示する図である。
【図４】[0015]  図４は、様々な態様による、複数のアンテナを有するワイヤレス通信デバイス（ＵＥ）の例を例示する図である。
【図５】[0016]  図５は、様々な態様による階層チャート（hierarchy chart）である。
【図６】[0017]  図６は、様々な態様による、記憶されたサービスプリファレンスの例示的なテーブルである。
【図７】[0018]  図７は、様々な態様による、ワイヤレス通信（wireless communication）の方法のフローチャートである。
【図８】[0019]  図８は、例示的な装置における異なる手段／コンポーネント間のデータフローを例示する概念的なデータフロー図である。
【図９】[0020]  図９は、処理システムを用いる装置のためのハードウェアインプリメンテーションの例を例示する図である。
【図１０】[0021]  図１０は、図１のＵＥの例となるコンポーネントの概略図である。
【図１１】[0022]  図１１は、図１の基地局の例となるコンポーネントの概略図である。
【図１２】[0023]  図１２は、例示的な装置における異なる手段／コンポーネント間のデータフローを例示する別の概念的なデータフロー図である。
【図１３】[0024]  図１３は、処理システムを用いる装置のためのハードウェアインプリメンテーションの例を例示する別の図である。
【詳細な説明】
【００１３】
[0025]  添付の図面に関連して以下に示される詳細な説明は、様々な構成の説明として意図され、本明細書で説明される概念が実施され得る唯一の構成を表すようには意図されない。詳細な説明は、様々な概念の完全な理解を提供することを目的とした特定の詳細を含む。しかしながら、これらの概念が、これらの特定の詳細なしで実施され得ることは、当業者には明らかであろう。いくつかの事例では、周知の構造およびコンポーネントが、このような概念を曖昧にすることを避けるために、ブロック図形式で示される。
【００１４】
[0026]  ここで、ワイヤレス通信ネットワークのいくつかの態様が、様々な装置および方法に関連して提示される。これらの装置および方法は、以下の詳細な説明において説明され、様々なブロック、コンポーネント、回路、プロセス、アルゴリズムなど（「要素」と総称される）によって、添付の図面において例示される。これらの要素は、電子ハードウェア、コンピュータソフトウェア、またはこれらの任意の組合せを使用してインプリメントされ得る。このような要素がハードウェアとしてインプリメントされるか、あるいはソフトウェアとしてインプリメントされるかは、特定のアプリケーションおよびシステム全体に課される設計制約に依存する。
【００１５】
[0027]  例として、要素、または要素の任意の部分、または複数の要素の任意の組合せが、１つまたは複数のプロセッサ（processor）を含む「処理システム」としてインプリメントされ得る。プロセッサの例は、マイクロプロセッサ、マイクロコントローラ、グラフィックス処理ユニット（ＧＰＵ）、中央処理ユニット（ＣＰＵ）、アプリケーションプロセッサ、デジタルシグナルプロセッサ（ＤＳＰ）、縮小命令セットコンピューティング（ＲＩＳＣ）プロセッサ、システムオンチップ（ＳｏＣ）、ベースバンドプロセッサ、フィールドプログラマブルゲートアレイ（ＦＰＧＡ）、プログラマブルロジックデバイス（ＰＬＤ）、ステートマシン、ゲートロジック、ディスクリートハードウェア回路、および本開示全体にわたって説明される様々な機能を実行するように構成された他の好適なハードウェアを含む。処理システムにおける１つまたは複数のプロセッサは、ソフトウェアを実行し得る。ソフトウェアは、ソフトウェア、ファームウェア、ミドルウェア、マイクロコード、ハードウェア記述言語、またはそれ以外の名称で呼ばれるかにかかわらず、命令（instruction）、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数（function）などを意味するように広く解釈されるべきである。
【００１６】
[0028]  したがって、１つまたは複数の例となる実施形態では、説明される機能は、ハードウェア、ソフトウェア、またはこれらの任意の組合せでインプリメントされ得る。ソフトウェアでインプリメントされる場合、これら機能は、コンピュータ可読媒体上で、１つまたは複数の命令またはコードとして符号化または記憶され得る。コンピュータ可読媒体は、コンピュータ記憶媒体を含む。記憶媒体は、コンピュータによってアクセスされ得る任意の利用可能な媒体であり得る。限定ではなく例として、このようなコンピュータ可読媒体は、ランダムアクセスメモリ（ＲＡＭ）、読取専用メモリ（ＲＯＭ）、電気的に消去可能なプログラマブルＲＯＭ（ＥＥＰＲＯＭ（登録商標））、光ディスク記憶装置、磁気ディスク記憶装置、他の磁気記憶デバイス、前述のタイプのコンピュータ可読媒体の組合せ、あるいはコンピュータによってアクセスされ得るデータ構造または命令の形式でコンピュータ実行可能コード（computer executable code）を記憶するために使用され得るその他任意の媒体を備え得る。
【００１７】
[0029]  マルチアンテナワイヤレス通信デバイスは、３Ｇ、ＬＴＥ、ＮＲ、Ｗｉ−Ｆｉ、Ｂｌｕｅｔｏｏｔｈ（登録商標）などの１つまたは複数の無線アクセス技術を用いて様々なサービスをサポートすることによって、データ通信を可能にする。アンテナまたはそれらのサブコンポーネントは、データフローの使用を必要とするサービスをサポートするために、あるタイプのＲＡＴのためのデータフローをホストするために（to host data flows）一時的に割り当てられ得る。ホストアンテナまたはアンテナサブコンポーネントは、ホストされたＲＡＴに従ってデータを送受信するために、ワイヤレス通信ネットワークの「チャネルレイヤ（channel layer）」としても知られるデータストリーム（data stream）にアクセスする。各チャネルレイヤは、プリコーディング行列インジケータ（ＰＭＩ：pre-coding matrix indicator）に従って、ワイヤレス通信デバイスのアンテナまたはアンテナサブコンポーネントにマッピングされる。しばしば、ワイヤレス通信デバイスの複数のアンテナは、データスループット（data throughput）を改善するために単一のＲＡＴをサポートすることになり、アンテナのチャネルレイヤへの適切なマッピングを、データ損失（data loss）を回避するために重要にする。しかしながら、ワイヤレス通信デバイスは、ネットワークによって、それらのチャネルレイヤ構成、アクセス可能なレイヤ数、および関連付けられたＰＭＩを割り当てられ、割り当てられたチャネルレイヤ構成（assigned channel layer configuration）への限定された入力のみを有し得る。
【００１８】
[0030]  ワイヤレス通信ネットワークでは、チャネル状態情報フィードバックメカニズムは、ＵＥが、データストリームの集合である知覚されたチャネル（perceived channel）の測定を行い（takes measurements）、ネットワークの元へフィードバック（feedback）として報告するように定義される。様々な送信モードおよび様々なＣＳＩ報告（フィードバック）タイプが、ＬＴＥおよびＮＲにおいて定義される。ＵＥの測定および報告のための定義されたプロシージャでは、ＵＥは、その「好ましい」構成、例えば、その知覚されたチャネルに基づくランクインジケータ（ＲＩ：rank indicator）、チャネル品質インジケータ（ＣＱＩ：channel quality indicator）、チャネル品質、およびプリコーディング行列インジケータに基づいて、ＣＳＩを報告する。
【００１９】
[0031]  ＵＥによって実行されるＣＳＩ測定は、アンテナコンポーネントの構成およびチャネルの「最良のシナリオ（best-scenario）」動作に基づき得る。したがって、ＵＥは、このようなＣＳＩフィードバックを、チャネルおよびアンテナコンポーネントに基づいて、その「好ましい（preferred）」または「推奨される（recommended）」動作／構成として報告し、ネットワークがこのようなプリファレンスまたは推奨を「受け付ける（honor）」ことができることを期待する。しかしながら、ＵＥによるこのようなプリファレンス（preference）または推奨（recommendation）は、ネットワークが、現在のユーザの容量の必要性をバランスさせなければならず、ネットワークは、典型的に、セルのＵＥの大多数のために最適化する必要があるので、受け付けられない可能性がある。ＵＥのプリファレンス／推奨がネットワークによって受け付けられない場合、ネットワークは、ＵＥにとって好ましいまたは推奨されるものから、提供するサービスを「ダウングレード（down grade）」または「ダウン選択（down select）」し得る。例えば、ＵＥは、４つのレイヤが好ましく、それを報告するが、ネットワークは、そのＵＥに２つのレイヤのみを割り振る。さらなる例では、ネットワークが、ＵＥによる好ましいおよび報告されたＣＳＩを受け付けないとき、その場合、ネットワークは、ＵＥによって好ましくない、そしてまたＵＥにとって最適でない何らかの他の構成（例えば、２つのレイヤと、ある特定のＰＭＩ「ｘ」）を選び得る。同様に、ＵＥは、ネットワークが実際に割り当てる構成（例えば、２つのレイヤについてＰＭＩ「ｘ！＝ｙ」）とは異なる構成（例えば、２つのレイヤについてＰＭＩ「ｙ」）を好んだ／推奨したかもしれない。したがって、ＵＥへのネットワークによる任意のリソース構成割当ては、アンテナリソースの浪費または非効率的な使用をもたらし得る。
【００２０】
[0032]  別の問題は、（例えば、ＮＲとＷｉ−Ｆｉを同時に、またはライセンスＮＲとアンライセンス［共有スペクトル（shared-spectrum）]ＬＴＥを同時になど）現代のＵＥにおいて複数のＲＡＴを同時にサポートする必要性から生じる。例えば、ＵＥは、４つ以上の使用可能なアンテナを有し得るとともに、２つのアンテナをＮＲのために、および他の２つをＷｉ−ＦｉまたはアンライセンスＬＴＥのために従事させる。ＵＥは、ＮＲのために使用すべきアンテナサブセットの最良の選択と、別のＲＡＴのためのアンテナの補集合サブセット（the complement subset of antennas）とのために最適化し得る。ＵＥは、チャネル状態測定値に従って、ＮＲのみをサポートするために４つのレイヤか、またはＮＲのために２つまたはレイヤおよび別のＲＡＴのために２つのレイヤを好み得る。これらのいずれかが、推奨またはプリファレンスによってネットワークに要求され得る。ＵＥがその推奨されたまたは好ましい構成を受信しなかった場合、その唯一の手段（its only recourse）は、ＣＳＩ測定値を報告することと、推奨された／好ましい構成を要求することとを続けることである。
【００２１】
[0033]  報告後、ＵＥは、そのプリファレンスが許可されることになるかどうかを確かめるために待機し得るとともに、ネットワークが割り当てる構成が何であってもインプリメントする。実際のケースでは、ネットワークが実際に２つのレイヤのみをＵＥに許可したとき、ネットワークによって選ばれるＰＭＩは、通常、ＵＥにとって最適ではない。より詳細には、ＵＥが４つのレイヤを要求したが、ネットワークが２つのレイヤのみを割り当てた場合には、ＵＥは、ＲＡＴをサポートするために４つのアンテナを起動しているが、その代わりに、２つのレイヤ相当の容量のみを得る。これもまた、物理リソースの浪費および達成されるサービスの低下をもたらし得る。
【００２２】
[0034]  様々な態様は、チャネルレイヤ割当て（channel layer assignment）に存在するリソースの非効率性（inefficiency）の問題を緩和し得る方法およびワイヤレス通信デバイスを提供する。様々な態様は、利用可能な物理リソースの利用を改善し、シグナリングの信頼性、および／またはデータ転送効率を増大させ得る。これは、ＵＥの様々なアンテナに割り当てられたＲＡＴによってサポートされるある特定のクラスのサービスのパフォーマンスを改善し、それによって全体的なエンドユーザエクスペリエンスを改善し得る。
【００２３】
[0035]  図１は、ワイヤレス通信システムおよびアクセスネットワーク１００の例を例示する図である。ワイヤレス通信システム１００（ワイヤレス広域ネットワーク（ＷＷＡＮ）とも呼ばれる）は、基地局１０２、ＵＥ１０４、および発展型パケットコア（ＥＰＣ：Evolved Packet Core）１６０または第５世代コア（５ＧＣ）１９０を含む。基地局１０２は、マクロセル（高電力セルラ基地局）および／またはスモールセル（低電力セルラ基地局）を含み得る。マクロセルは、ｅＮＢを含む。スモールセルは、フェムトセル、ピコセル、およびマイクロセルを含む。ワイヤレス通信システム１００は、チャネル状態フィードバック（channel state feedback）を使用してネットワークダウン選択をサポートするように構成される。
【００２４】
[0036]  基地局１０２（発展型ユニバーサルモバイルテレコミュニケーションズシステム（ＵＭＴＳ）地上無線アクセスネットワーク（Ｅ−ＵＴＲＡＮ）と総称される）は、バックホールリンク（backhaul link）１３２（例えば、Ｓ１インターフェース）を通じてＥＰＣ１６０とインターフェースする。他の機能に加えて、基地局１０２は、次の機能のうちの１つまたは複数を実行し得る：ユーザデータの転送、無線チャネル暗号化および暗号解読、完全性保護、ヘッダ圧縮、モビリティ制御機能（例えば、ハンドオーバ、デュアルコネクティビティ）、セル間干渉協調、接続セットアップおよび解放、負荷バランシング、非アクセス層（ＮＡＳ：non-access stratum）メッセージについての分配、ＮＡＳノード選択、同期、無線アクセスネットワーク（ＲＡＮ：radio access network）共有、マルチメディアブロードキャストマルチキャストサービス（ＭＢＭＳ：multimedia broadcast multicast service）、加入者および機器トレース、ＲＡＮ情報管理（ＲＩＭ：RAN information management）、ページング、測位、および警告メッセージの配信。基地局１０２は、バックホールリンク１３４（例えば、Ｘ２インターフェース）を介して互いに直接的にまたは間接的に（例えば、ＥＰＣ１６０を通じて）通信し得る。バックホールリンク１３４は、ワイヤードまたはワイヤレスであり得る。
【００２５】
[0037]  基地局１０２は、ＵＥ１０４とワイヤレスに通信し得る。基地局１０２の各々は、それぞれの地理的カバレッジエリア１１０に対して通信カバレッジを提供し得る。オーバーラップする地理的カバレッジエリア１１０が存在し得る。例えば、スモールセル１０２’は、１つまたは複数のマクロ基地局１０２のカバレッジエリア１１０にオーバーラップするカバレッジエリア１１０’を有し得る。スモールセルとマクロセルとの両方を含むネットワークは、異種ネットワークとして知られ得る。異種ネットワークはまた、ホーム発展型ノードＢ（ｅＮＢ）（ＨｅＮＢ）を含み得、これは、クローズド加入者グループ（ＣＳＧ）として知られる制限されたグループにサービスを提供し得る。基地局１０２とＵＥ１０４との間の通信リンク１２０は、ＵＥ１０４から基地局１０２へのアップリンク（ＵＬ：uplink）（逆方向リンクとも呼ばれる）送信、および／または基地局１０２からＵＥ１０４へのダウンリンク（ＤＬ：downlink）（順方向リンクとも呼ばれる）送信を含み得る。通信リンク１２０は、空間多重化、ビームフォーミング、および／または送信ダイバーシティを含む、ＭＩＭＯアンテナ技術を使用し得る。通信リンクは、１つまたは複数のキャリアを通り得る。基地局１０２／ＵＥ１０４は、各方向における送信のために使用される最大で合計Ｙｘ  ＭＨｚ（ｘ個のコンポーネントキャリア）のキャリアアグリゲーションにおいて割り振られる１キャリア当たり最大でＹ  ＭＨｚ（例えば、５、１０、１５、２０ＭＨｚ）の帯域幅のスペクトルを使用し得る。キャリアの割振りは、ＤＬおよびＵＬに対して非対称であり得る（例えば、ＵＬの場合よりも多くのまたは少ないキャリアがＤＬに割り振られ得る）。コンポーネントキャリアは、１つのプライマリコンポーネントキャリアと、１つまたは複数のセカンダリコンポーネントキャリアとを含み得る。プライマリコンポーネントキャリアは、プライマリセル（ＰＣｅｌｌ：primary cell）と呼ばれ得、セカンダリコンポーネントキャリアは、セカンダリセル（ＳＣｅｌｌ：secondary cell）と呼ばれ得る。
【００２６】
[0038]  ワイヤレス通信システム１００は、５ＧＨｚアンライセンス周波数スペクトル（unlicensed frequency spectrum）における通信リンク１５４を介してＷｉ−Ｆｉ局（ＳＴＡ：station）１５２と通信状態にあるＷｉ−Ｆｉアクセスポイント（ＡＰ：access point）１５０をさらに含み得る。アンライセンス周波数スペクトルで通信するとき、ＳＴＡ１５２／ＡＰ１５０は、チャネルが利用可能であるかどうかを決定するために、通信するより前にクリアチャネルアセスメント（ＣＣＡ：clear channel assessment）を実行し得る。
【００２７】
[0039]  スモールセル１０２’は、ライセンスおよび／またはアンライセンス周波数スペクトルで動作し得る。アンライセンス周波数スペクトルで動作するとき、スモールセル１０２’は、ＬＴＥを用い、Ｗｉ−Ｆｉ  ＡＰ１５０によって使用されるものと同じ５ＧＨｚアンライセンス周波数スペクトルを使用し得る。アンライセンス周波数スペクトルでＬＴＥを用いるスモールセル１０２’は、アクセスネットワークに対するカバレッジを強化し得、および／または、アクセスネットワークの容量を増大させ得る。アンライセンススペクトルにおけるＬＴＥは、ＬＴＥ−アンライセンスド（ＬＴＥ−Ｕ）、ライセンス補助アクセス（ＬＡＡ：licensed assisted access）、またはＭｕＬＴＥｆｉｒｅと呼ばれ得る。
【００２８】
[0040]  ＥＰＣ１６０は、モビリティ管理エンティティ（ＭＭＥ：Mobility Management Entity）１６２、他のＭＭＥ１６４、サービングゲートウェイ１６６、マルチメディアブロードキャストマルチキャストサービス（ＭＢＭＳ）ゲートウェイ１６８、ブロードキャストマルチキャストサービスセンター（ＢＭ−ＳＣ：Broadcast Multicast Service Center）１７０、およびパケットデータネットワーク（ＰＤＮ：Packet Data Network）ゲートウェイ１７２を含み得る。ＭＭＥ１６２は、ホーム加入者サーバ（ＨＳＳ：Home Subscriber Server）１７４と通信状態にあり得る。ＭＭＥ１６２は、ＵＥ１０２とＥＰＣ１６０との間のシグナリングを処理する制御ノードである。一般に、ＭＭＥ１６２は、ベアラおよび接続管理を提供する。全てのユーザインターネットプロトコル（ＩＰ）パケットは、サービングゲートウェイ１６６を通じて転送され、それ自体は、ＰＤＮゲートウェイ１７２に接続される。ＰＤＮゲートウェイ１７２は、ＵＥ  ＩＰアドレス割振りのみならず、他の機能も提供する。ＰＤＮゲートウェイ１７２およびＢＭ−ＳＣ１７０は、ＩＰサービス１７６に接続される。ＩＰサービス１７６は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１７０は、ＭＢＭＳユーザサービスプロビジョニングおよび配信のための機能を提供し得る。ＢＭ−ＳＣ１７０は、コンテンツプロバイダＭＢＭＳ送信のためのエントリポイントとしての役割を果たし得、公衆陸上モバイルネットワーク（ＰＬＭＮ：public land mobile network）内でＭＢＭＳベアラサービスを認可および開始するために使用され得、およびＭＢＭＳ送信をスケジュールするために使用され得る。ＭＢＭＳゲートウェイ１６８は、特定のサービスをブロードキャストするマルチキャストブロードキャスト単一周波数ネットワーク（ＭＢＳＦＮ：Multicast Broadcast Single Frequency Network）エリアに属する基地局１０２に、ＭＢＭＳトラフィックを分配するために使用され得、セッション管理（開始／停止）と、ｅＭＢＭＳに関連する課金情報（charging information）を収集することとを担い得る。
【００２９】
[0041]  基地局は、また、ノードＢ、発展型ノードＢ（ｅＮＢ）、アクセスポイント、トランシーバ基地局（base transceiver station）、無線基地局、無線トランシーバ、トランシーバ機能、基本サービスセット（ＢＳＳ）、拡張サービスセット（ＥＳＳ）、または何らかの他の好適な専門用語でも呼ばれ得る。ｅＮＢ１０６は、ＵＥ１０２にＥＰＣ１１０へのアクセスポイントを提供する。ＵＥ１０２の例は、セルラフォン、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレーヤ（例えば、ＭＰ３プレーヤ）、カメラ、ゲーム機、タブレット、スマートデバイス、ウェアラブルデバイス、またはその他任意の同様に機能するデバイスを含む。ＵＥ１０２はまた、局、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の好適な専門用語でも呼ばれ得る。
【００３０】
[0042]  いくつかの非限定的な例では、基地局１０２は、バックホールリンク１３６を通じて５ＧＣ１９０とインターフェースし得る。５ＧＣ１９０は、１つまたは複数のアクセスおよびモビリティ管理機能（ＡＭＦ：Access and Mobility Management Function）、セッション管理機能（ＳＭＦ：Session Management Function）、およびユーザプレーン機能（ＵＰＦ：User Plane Function）を含み得る。ＡＭＦは、統合データ管理（ＵＤＭ）と通信状態にあり得る。ＡＭＦは、ＵＥ１１０と５ＧＣ１９０との間のシグナリングを処理する制御ノードである。一般に、ＡＭＦは、ＱｏＳフローおよびセッション管理を提供する。全てのユーザインターネットプロトコル（ＩＰ）パケットは、ＵＰＦを通じて転送される。ＵＰＦは、ＵＥ  ＩＰアドレス割振りのみならず、他の機能も提供する。ＵＰＦは、ＩＰサービスに接続される。ＩＰサービスは、インターネット、イントラネット、ＩＰマルチメディアサブシステム（ＩＭＳ）、ＰＳストリーミングサービス（ＰＳＳ）、および／または他のＩＰサービスを含み得る。
【００３１】
[0043]  図１を再び参照すると、ある特定の態様では、ＵＥ１０４は、アンテナサポートコンポーネント（antenna support component）１９６をインプリメントするように構成され得る。ＵＥ１０４は、アンテナサポートコンポーネント１９６を介して、基地局１０２への定期的な（regular）チャネル状態フィードバック報告を実行し得る。ＵＥは、デバイスサービスをサポートするために必要とされる１つまたは複数の無線アクセス技術をサポートするために、報告とともに、好ましい数のチャネルレイヤ（例えば、アンテナアクセス）をネットワークに要求し得る。
【００３２】
[0044]  様々な態様では、基地局１０２は、チャネルレイヤ割当てコンポーネント（channel layer assignment component）１９８をインプリメントするように構成され得る。基地局１０２は、要求を受信し、受信されたＣＳＩフィードバック報告をレビューし得る。基地局は、報告および要求を処理し得、現在のネットワーク使用および容量データに基づいて、ネットワークが要求されたチャネルレイヤプリファレンスを受け付ける／採用することができるかどうかを決定し得、その後、割り当てられた構成をＵＥ１０４に送信する。
【００３３】
[0045]  ＵＥ１０４のアンテナサポートコンポーネント１９６は、チャネルレイヤ構成の形で割当てを受信し得、これは、いくつのレイヤがサポートされることになるかと、付随するプリコーディング行列インジケータとを示す。
【００３４】
[0046]  図２Ａは、ＬＴＥにおけるＤＬフレーム構造の例を例示する図２００である。図２Ｂは、ＬＴＥにおけるＤＬフレーム構造内のチャネルの例を例示する図２３０である。図２Ｃは、ＬＴＥにおけるＵＬフレーム構造の例を例示する図２５０である。図２Ｄは、ＬＴＥにおけるＵＬフレーム構造内のチャネルの例を例示する図２８０である。図２００、図２３０、図２５０、および図２８０は、ネットワークダウン選択の選択肢（network down selection alternatives）を伴う（with）チャネル状態フィードバック（channel state feedback）に関連して使用され得るフレーム構造を説明し得る。他のワイヤレス通信技術は、異なるフレーム構造および／または異なるチャネルを有し得る。ＬＴＥでは、フレーム（１０ｍｓ）は、１０個の等しいサイズのサブフレームに分割され得る。各サブフレームは、２つの連続したタイムスロットを含み得る。リソースグリッド（resource grid）が２つのタイムスロットを表すために使用され得、各タイムスロットは、１つまたは複数の時間的に同時並行（time concurrent）のリソースブロック（ＲＢ：resource block）（物理ＲＢ（ＰＲＢ）とも呼ばれる）を含む。リソースグリッドは、複数のリソースエレメント（ＲＥ：resource element）に分割される。ＬＴＥでは、通常のサイクリックプレフィックスの場合、ＲＢは、周波数ドメインにおいて１２個の連続したサブキャリアと、時間ドメインにおいて７つの連続したシンボル（ＤＬではＯＦＤＭシンボル、ＵＬではＳＣ−ＦＤＭＡシンボル）との合計８４個のＲＥを含む。拡張サイクリックプレフィックスの場合、ＲＢは、周波数ドメインにおいて１２個の連続したサブキャリアと、時間ドメインにおいて６個の連続したシンボルとの合計７２個のＲＥを含む。各ＲＥによって搬送されるビット数は、変調スキームに依存する。
【００３５】
[0047]  図２Ａに例示されるように、ＲＥのうちのいくつかは、ＵＥにおけるチャネル推定のためにＤＬ基準（パイロット）信号（ＤＬ−ＲＳ）を搬送する。ＤＬ−ＲＳは、セル固有基準信号（ＣＲＳ：cell-specific reference signal）（共通ＲＳと呼ばれることもある）、ＵＥ固有基準信号（ＵＥ−ＲＳ：UE-specific reference signal）、およびチャネル状態情報基準信号（ＣＳＩ−ＲＳ：channel state information reference signal）を含み得る。図２Ａは、（それぞれ、Ｒ０、Ｒ１、Ｒ２、およびＲ３として示される）アンテナポート０、１、２、および３のためのＣＲＳ、（Ｒ５として示される）アンテナポート５のためのＵＥ−ＲＳ、および（Ｒとして示される）アンテナポート１５のためのＣＳＩ−ＲＳを例示する。図２Ｂは、フレームのＤＬサブフレーム内の様々なチャネルの例を例示する。物理制御フォーマットインジケータチャネル（ＰＣＦＩＣＨ：physical control format indicator channel）は、スロット０のシンボル０内にあり、物理ダウンリンク制御チャネル（ＰＤＣＣＨ：physical downlink control channel）が１つのシンボルを占有するか、２つのシンボルを占有するか、または３つのシンボルを占有するかを示す制御フォーマットインジケータ（ＣＦＩ：control format indicator）を搬送する（図２Ｂは、３つのシンボルを占有するＰＤＣＣＨを例示する）。ＰＤＣＣＨは、１つまたは複数の制御チャネルエレメント（ＣＣＥ）内でダウンリンク制御情報（ＤＣＩ）を搬送し、各ＣＣＥは、９つのＲＥグループ（ＲＥＧ）を含み、各ＲＥＧは、ＯＦＤＭシンボル中に４つの連続したＲＥを含む。ＵＥは、同じくＤＣＩを搬送するＵＥ固有の拡張ＰＤＣＣＨ（ｅＰＤＣＣＨ）で構成され得る。ｅＰＤＣＣＨは、２、４、または８個のＲＢペアを有し得る（図２Ｂは、２つのＲＢペアを示し、各サブセットが１つのＲＢペアを含む）。物理ハイブリッド自動再送要求（ＡＲＱ）（ＨＡＲＱ）インジケータチャネル（ＰＨＩＣＨ：physical hybrid automatic repeat request (ARQ) (HARQ) indicator channel）もまた、スロット０のシンボル０内にあり、物理アップリンク共有チャネル（ＰＵＳＣＨ）に基づいて、ＨＡＲＱ確認応答（ＡＣＫ）／否定ＡＣＫ（ＮＡＣＫ）フィードバックを示すＨＡＲＱインジケータ（ＨＩ）を搬送する。プライマリ同期チャネル（ＰＳＣＨ）は、フレームのサブフレーム０および５内のスロット０のシンボル６内にあり、サブフレームタイミングおよび物理レイヤアイデンティティを決定するためにＵＥによって使用されるプライマリ同期信号（ＰＳＳ）を搬送する。セカンダリ同期チャネル（ＳＳＣＨ）は、フレームのサブフレーム０および５内のスロット０のシンボル５内にあり、物理レイヤセルアイデンティティグループ番号を決定するためにＵＥによって使用されるセカンダリ同期信号（ＳＳＳ）を搬送する。物理レイヤアイデンティティおよび物理レイヤセルアイデンティティグループ番号に基づいて、ＵＥは、物理セル識別子（ＰＣＩ：physical cell identifier）を決定し得る。ＰＣＩに基づいて、ＵＥは、前述したＤＬ−ＲＳの位置を決定し得る。物理ブロードキャストチャネル（ＰＢＣＨ：physical broadcast channel）は、フレームのサブフレーム０のスロット１のシンボル０、１、２、３内にあり、マスタ情報ブロック（ＭＩＢ：master information block）を搬送する。ＭＩＢは、ＤＬシステム帯域幅におけるＲＢの数、ＰＨＩＣＨ構成、およびシステムフレーム番号（ＳＦＮ：system frame number）を提供する。物理ダウンリンク共有チャネル（ＰＤＳＣＨ：physical downlink shared channel）は、ページングメッセージ、システム情報ブロック（ＳＩＢ：system information block）のようなＰＢＣＨを通じて送信されないブロードキャストシステム情報、およびユーザデータを搬送する。
【００３６】
[0048]  図２Ｃに例示されるように、ＲＥのうちのいくつかは、ｅＮＢにおけるチャネル推定のために復調基準信号（ＤＭ−ＲＳ：demodulation reference signal）を搬送する。ＵＥは、追加としてサブフレームの最後のシンボルにおいてサウンディング基準信号（ＳＲＳ：sounding reference signal）を送信し得る。ＳＲＳは、コーム構造（comb structure）を有し得、ＵＥは、コームのうちの１つ上でＳＲＳを送信し得る。ＳＲＳは、ＵＬ上での周波数依存スケジューリングを可能にするためのチャネル品質推定のために、ｅＮＢによって使用され得る。図２Ｄは、フレームのＵＬサブフレーム内の様々なチャネルの例を例示する。物理ランダムアクセスチャネル（ＰＲＡＣＨ：physical random access channel）は、ＰＲＡＣＨ構成に基づいて、フレーム内の１つまたは複数のサブフレーム内にあり得る。ＰＲＡＣＨは、サブフレーム内に６つの連続したＲＢペアを含み得る。ＰＲＡＣＨは、ＵＥが初期システムアクセスを実行し、ＵＬ同期を達成することを可能にする。物理アップリンク制御チャネル（ＰＵＣＣＨ：physical uplink control channel）は、ＵＬシステム帯域幅の両端に位置し得る。ＰＵＣＣＨは、スケジューリング要求、チャネル品質インジケータ（ＣＱＩ）、プリコーディング行列インジケータ、ランクインジケータ、およびＨＡＲＱ  ＡＣＫ／ＮＡＣＫフィードバックなどの、アップリンク制御情報（ＵＣＩ：uplink control information）を搬送する。ＰＵＳＣＨは、データを搬送し、追加として、バッファステータス報告（ＢＳＲ：buffer status report）、電力ヘッドルーム報告（ＰＨＲ：power headroom report）、および／またはＵＣＩを搬送するために使用され得る。
【００３７】
[0049]  図３は、アクセスネットワークにおいてＵＥ３５０と通信状態にあるｅＮＢ３１０のブロック図である。ＤＬでは、ＥＰＣ１６０からのＩＰパケットは、コントローラ／プロセッサ３７５に提供され得る。コントローラ／プロセッサ３７５は、レイヤ３およびレイヤ２の機能をインプリメントする。レイヤ３は、無線リソース制御（ＲＲＣ：radio resource control）レイヤを含み、レイヤ２は、パケットデータコンバージェンスプロトコル（ＰＤＣＰ：packet data convergence protocol）レイヤ、無線リンク制御（ＲＬＣ：radio link control）レイヤ、および媒体アクセス制御（ＭＡＣ：medium access control）レイヤを含む。コントローラ／プロセッサ３７５は、システム情報（例えば、ＭＩＢ、ＳＩＢ）のブロードキャスト、ＲＲＣ接続制御（例えば、ＲＲＣ接続ページング、ＲＲＣ接続確立、ＲＲＣ接続修正、およびＲＲＣ接続解放）、ＲＡＴ間モビリティ、およびＵＥ測定報告のための測定構成に関連付けられたＲＲＣレイヤの機能；ヘッダ圧縮／解凍、セキュリティ（暗号化、暗号解読、完全性保護、完全性検証）、およびハンドオーバサポート機能に関連付けられたＰＤＣＰレイヤの機能；上位レイヤパケットデータユニット（ＰＤＵ：packet data unit）の転送、ＡＲＱを通じた誤り訂正、ＲＬＣサービスデータユニット（ＳＤＵ：service data unit）の連結、セグメント化、およびリアセンブリ、ＲＬＣデータＰＤＵの再セグメント化、およびＲＬＣデータＰＤＵの再順序付けに関連付けられたＲＬＣレイヤの機能；ならびに、論理チャネルとトランスポートチャネルとの間のマッピング、トランスポートブロック（ＴＢ：transport block）上へのＭＡＣ  ＳＤＵの多重化、ＴＢからのＭＡＣ  ＳＤＵの逆多重化、スケジューリング情報報告、ＨＡＲＱを通じた誤り訂正、優先処理（priority handling）、および論理チャネル優先順位付けに関連付けられたＭＡＣレイヤの機能を提供する。
【００３８】
[0050]  送信（ＴＸ）プロセッサ３１６および受信（ＲＸ）プロセッサ３７０は、様々な信号処理機能に関連付けられたレイヤ１の機能をインプリメントする。物理（ＰＨＹ：physical）レイヤを含むレイヤ１は、トランスポートチャネル上での誤り検出、トランスポートチャネルの前方誤り訂正（ＦＥＣ：forward error correction）コーディング／復号、インタリービング、レートマッチング、物理チャネル上へのマッピング、物理チャネルの変調／復調、およびＭＩＭＯアンテナ処理を含み得る。ＴＸプロセッサ３１６は、様々な変調スキーム（例えば、二相位相シフトキーイング（ＢＰＳＫ）、直交位相シフトキーイング（ＱＰＳＫ）、Ｍ値位相シフトキーイング（Ｍ−ＰＳＫ）、Ｍ値直交振幅変調（Ｍ−ＱＡＭ））に基づいて、信号コンステレーション（signal constellation）へのマッピングを処理する。その後、コーディングおよび変調されたシンボルは、並列ストリームに分割され得る。その後、各ストリームは、ＯＦＤＭサブキャリアにマッピングされ、時間ドメインおよび／または周波数ドメインにおいて基準信号（例えば、パイロット）と多重化され、その後、逆高速フーリエ変換（ＩＦＦＴ）を使用して共に組み合わされて、時間ドメインＯＦＤＭシンボルストリームを搬送する物理チャネルを生成し得る。ＯＦＤＭストリームは、複数の空間ストリームを生成するために、空間的にプリコーディングされる。チャネル推定器３７４からのチャネル推定値は、コーディングおよび変調スキームを決定するためのみならず、空間処理のためにも使用され得る。チャネル推定値は、ＵＥ３５０によって送信されたチャネル状態フィードバックおよび／または基準信号から導出され得る。その後、各空間ストリームは、別個の送信機３１８ＴＸを介して異なるアンテナ３２０に提供され得る。各送信機３１８ＴＸは、送信のためのそれぞれの空間ストリームを用いてＲＦキャリアを変調し得る。
【００３９】
[0051]  ＵＥ３５０において、各受信機３５４ＲＸは、そのそれぞれのアンテナ３５２を通じて信号を受信する。各受信機３５４ＲＸは、ＲＦキャリア上に変調された情報を復元し、この情報を受信（ＲＸ）プロセッサ３５６に提供する。ＴＸプロセッサ３６８およびＲＸプロセッサ３５６は、様々な信号処理機能に関連付けられたレイヤ１の機能をインプリメントする。ＲＸプロセッサ３５６は、ＵＥ３５０宛ての任意の空間ストリームを復元するために、この情報に対して空間処理を実行し得る。複数の空間ストリームがＵＥ３５０宛てである場合、それらは、ＲＸプロセッサ３５６によって、単一のＯＦＤＭシンボルストリームに組み合わされ得る。その後、ＲＸプロセッサ３５６は、高速フーリエ変換（ＦＦＴ）を使用して、ＯＦＤＭシンボルストリームを時間ドメインから周波数ドメインに変換する。周波数ドメインの信号は、ＯＦＤＭ信号のサブキャリアごとに別個のＯＦＤＭシンボルストリームを備える。各サブキャリア上のシンボル、および基準信号は、ｅＮＢ３１０によって送信された最も可能性の高い信号コンステレーションポイントを決定することによって復元および復調される。これらの軟判定は、チャネル推定器３５８によって計算されたチャネル推定値に基づき得る。その後、軟判定は、物理チャネル上でｅＮＢ３１０によって本来送信されたデータおよび制御信号を復元するために、復号およびデインターリーブされる。その後、データおよび制御信号は、レイヤ３およびレイヤ２の機能をインプリメントするコントローラ／プロセッサ３５９に提供される。
【００４０】
[0052]  コントローラ／プロセッサ３５９は、プログラムコードおよびデータを記憶するメモリ（memory）３６０に関連付けられ得る。メモリ３６０は、コンピュータ可読媒体と呼ばれ得る。ＵＬでは、コントローラ／プロセッサ３５９は、ＥＰＣ１６０からのＩＰパケットを復元するために、トランスポートチャネルと論理チャネルとの間の逆多重化、パケットリアセンブリ、暗号解読、ヘッダ解凍、および制御信号処理を提供する。コントローラ／プロセッサ３５９はまた、ＨＡＲＱ動作をサポートするために、ＡＣＫおよび／またはＮＡＣＫプロトコルを使用した誤り検出を担う。
【００４１】
[0053]  ｅＮＢ３１０によるＤＬ送信に関連して説明された機能と同様に、コントローラ／プロセッサ３５９は、システム情報（例えば、ＭＩＢ、ＳＩＢ）獲得、ＲＲＣ接続、および測定報告に関連付けられたＲＲＣレイヤの機能；ヘッダ圧縮／解凍、およびセキュリティ（暗号化、暗号解読、完全性保護、完全性検証）に関連付けられたＰＤＣＰレイヤの機能；上位レイヤＰＤＵの転送、ＡＲＱを通じた誤り訂正、ＲＬＣ  ＳＤＵの連結、セグメント化、およびリアセンブリ、ＲＬＣデータＰＤＵの再セグメント化、およびＲＬＣデータＰＤＵの再順序付けに関連付けられたＲＬＣレイヤの機能；ならびに、論理チャネルとトランスポートチャネルとの間のマッピング、ＴＢ上へのＭＡＣ  ＳＤＵの多重化、ＴＢからのＭＡＣ  ＳＤＵの逆多重化、スケジューリング情報報告、ＨＡＲＱを通じた誤り訂正、優先処理、および論理チャネル優先順位付けに関連付けられたＭＡＣレイヤの機能を提供する。
【００４２】
[0054]  ｅＮＢ３１０によって送信されたフィードバックまたは基準信号からチャネル推定器３５８によって導出されるチャネル推定値は、適切なコーディングおよび変調スキームを選択するため、および空間処理を容易にするために、ＴＸプロセッサ３６８によって使用され得る。ＴＸプロセッサ３６８によって生成された空間ストリームは、別個の送信機３５４ＴＸを介して異なるアンテナ３５２に提供され得る。各送信機３５４ＴＸは、送信のためのそれぞれの空間ストリームを用いてＲＦキャリアを変調し得る。
【００４３】
[0055]  ＵＬ送信は、ＵＥ３５０における受信機機能に関連して説明されたのと同様の方法でｅＮＢ３１０において処理される。各受信機３１８ＲＸは、そのそれぞれのアンテナ３２０を通じて信号を受信する。各受信機３１８ＲＸは、ＲＦキャリア上に変調された情報を復元し、この情報をＲＸプロセッサ３７０に提供する。
【００４４】
[0056]  コントローラ／プロセッサ３７５は、プログラムコードおよびデータを記憶するメモリ３７６に関連付けられ得る。メモリ３７６は、コンピュータ可読媒体と呼ばれ得る。ＵＬでは、コントローラ／プロセッサ３７５は、ＵＥ３５０からのＩＰパケットを復元するために、トランスポートチャネルと論理チャネルとの間の逆多重化、パケットリアセンブリ、暗号解読、ヘッダ解凍、制御信号処理を提供する。コントローラ／プロセッサ３７５からのＩＰパケットは、ＥＰＣ１６０に提供され得る。コントローラ／プロセッサ３７５は、また、ＨＡＲＱ動作をサポートするために、ＡＣＫおよび／またはＮＡＣＫプロトコルを使用した誤り検出を担う。
【００４５】
[0057]  様々な態様は、チャネルレイヤ割当てコンポーネント１９８を含むかまたはそれと通信状態にあり得るコントローラ／プロセッサ３７５を含み得、これは、図１１を参照してより詳細に説明される。様々な態様は、アンテナサポートコンポーネント１９６を含むかまたはそれと通信状態にあり得るコントローラ／プロセッサ３５９を含み得、これは、図１０を参照してより詳細に説明される。
【００４６】
[0058]  図４は、複数のアンテナを有するスマートフォン４００のブロック図である。スマートフォン４００は、ワイヤレス通信デバイス（例えば、ＵＥ１０４）であり得、デバイス全体にわたって配置された複数のアンテナＡｎｔ０、Ａｎｔ１、Ａｎｔ２、およびＡｎｔ３を有し得る。オプションとして、信号干渉の影響を最小限に抑えるために、これらアンテナは、物理的に可能な限り互いに離して配置され得る。スマートフォンのための例示的なサービスプリファレンスは、４つのレイヤのプライマリプリファレンス（例えば、Ａｎｔ０、Ａｎｔ１、Ａｎｔ２、Ａｎｔ３）と、２つのレイヤのセカンダリプリファレンス（例えば、第１のＲＡＴのためのＡｎｔ１、Ａｎｔ３および第２のＲＡＴのためのＡｎ０、Ａｎｔ２）とを含み得る。プライマリサービスプリファレンスは、ビデオコンテンツをストリーミングするために、またはビデオゲームプレイ中の、４つのアンテナ上でのＮＲのサポートに関連付けられ得る。プライマリプリファレンスは、要求されたレイヤごとに、ランクインジケータ（例えば、好ましいチャネルレイヤの数）および関連付けられたＰＭＩ、アンテナ対チャネルレイヤマッピングを含み得る。ワイヤレス通信ネットワークがプライマリサービスプリファレンスを採用した場合には、ワイヤレス通信デバイスは、チャネルの４つのレイヤを受信し得、これは、データ送信および受信をスケジュールするために使用され得、これらのレイヤは、プライマリサービスプリファレンスにおいて示される（expressed）ＰＭＩに従って、デバイスのアンテナにマッピングされ得る。
【００４７】
[0059]  しかしながら、ワイヤレス通信ネットワークが採用しなかった場合、ワイヤレス通信ネットワークは、セカンダリサービスプリファレンスを考慮し得る。この例を続けると、そのワイヤレス通信デバイス上でビデオゲームをプレイしているエンドユーザは、プライマリサービスプリファレンスにおいて要求された４つのチャネルレイヤが拒否され、ネットワークが、ビデオゲームをホストするのに最も適し得る、ＮＲをサポートするためにデータアクセスの単一のチャネルレイヤのみを割り当てた場合、深刻なサービス品質の低下を経験し得る。ワイヤレス通信デバイスは、ＮＲをサポートするために４つのチャネルレイヤが利用可能でないときは、ＮＲをサポートする２つのチャネルレイヤとＬＴＥをサポートする２つのチャネルレイヤとの組合せが、ビデオゲームをサポートするのに十分であると予め決定し得る。セカンダリサービスプリファレンスは、ＮＲをホストするために、関連付けられたＰＭＩとともに（with）、２つのアンテナのために２つのレイヤ（例えば、ランクインジケータ）を求める要求を含み得る。別個のまたは同じサービスプリファレンスにおいて、ワイヤレス通信デバイスは、ＬＴＥをホストするために、２つの追加のチャネルレイヤおよび関連付けられたＰＭＩを求める要求を示し得る。したがって、ワイヤレス通信デバイスは、ワイヤレス通信ネットワークに対してバックアッププランを示し得る。
【００４８】
[0060]  様々な態様では、Ｗｉ−ＦｉまたはＢｌｕｅｔｏｏｔｈなどの、ワイヤレス通信ネットワークによる管理を必要としないＲＡＴのサポート。ホスティングアンテナのデータ使用は、ＣＳＩを測定し、ワイヤレス通信ネットワークに報告する必要がない場合がある。したがって、ダウン選択が行われるシナリオでは、ワイヤレス通信デバイスは、選択されていないアンテナ上でＷｉ−ＦｉまたはＢｌｕｅｔｏｏｔｈをホストし得る。
【００４９】
[0061]  図５は、ＬＴＥネットワークにおける様々なタイプの送信モードおよびＣＳＩ報告を例示するチャート５００である。ワイヤレス通信デバイスは、チャネル状態情報を周期的に（periodically）または非周期的に（aperiodically）測定し、その情報をネットワークに報告し得る。ＰＭＩなしの状態および単一のＰＭＩ状態を含む送信モードが、周期的に報告され得、一方、ＰＭＩなしまたは複数状態ＰＭＩを含む送信モードが、非周期的に報告され得る。ワイヤレス通信デバイスは、記憶された構成のセットからのサービスプリファレンスを選択およびランク付けするために、ＣＳＩ測定値を使用し得る。
【００５０】
[0062]  図６は、ワイヤレス通信デバイスの記憶されたサービスプリファレンスを含む例示的なデータテーブル６００である。テーブル６００は、記憶されたサービスプリファレンス６０４、６０８と、関連付けられたプリファレンスランク（例えば、ランクインジケータ）６０２、６０６とを含む。ワイヤレス通信デバイス（例えば、ＵＥ１０４）は、測定されたＣＳＩをレビューし得、オプションとして、測定情報に基づいて、１つまたは複数のサービスプリファレンスのためのＰＭＩを選択し得る。図６に示されるように、各サービスプリファレンスは、ランクとともに記憶され得る。しかしながら、ワイヤレス通信デバイスは、記憶されたまたはデフォルトのランキングをオーバーライドし得、ワイヤレス通信デバイス上で動作しているサービスの現在のネットワークリソースの必要性に従ってサービスプリファレンスを順序付け得る。したがって、ネットワークに送信されるプライマリサービスプリファレンスおよびセカンダリサービスプリファレンスのインジケーションは、データベースに記憶されたデフォルトであり得るか、または記憶されたプリファレンスデータベース中に示されるランキングを反映しないＰＭＩを有し得る。
【００５１】
[0063]  図７は、様々な態様による、ワイヤレス通信ネットワークダウン選択（wireless communications network down selection）のための方法７００の例を例示する。図１〜図７を参照すると、ワイヤレス通信デバイス（例えば、ＵＥ１０４）は、ネットワークデバイス（例えば、基地局１０２）に、ワイヤレス通信デバイスのアンテナ上で１つまたは複数のＲＡＴをホストするための複数の好ましい構成を通信し得る。
【００５２】
[0064]  ブロック７０２において、ワイヤレス通信デバイスのプロセッサ（例えば、図３のコントローラ／プロセッサ３５９）は、測定コンポーネント（measurement component）（例えば、図８および図１０の測定コンポーネント８０６）を介して、オプションとしてネットワークのステータス特性（status characteristic）を測定し得る。例えば、ステータス特性は、ワイヤレス通信デバイスがそれと通信状態にあるロングタームエボリューション（ＬＴＥ：long-term evolution）ネットワークの知覚されたチャネルの特性を含み得る。ターゲット特性の現在の状態または値が、チャネル状態フィードバック（ＣＳＦ：channel state feedback）中などに周期的に測定され得、あるいは代替として、ワイヤレス通信デバイスによって必要に応じて行われ得る。
【００５３】
[0065]  ブロック７０４において、ワイヤレス通信デバイスのトランシーバ（例えば、図１０のトランシーバ１００２）は、送信コンポーネントを介して、プライマリサービスのためのプライマリサービスプリファレンスおよびセカンダリサービスのためのセカンダリサービスプリファレンスのインジケーションを送信し得る。ネットワークに送信されるサービスプリファレンスは、ネットワークステータス測定（network status measurement）に少なくとも部分的に基づいて決定または選択され得る。例えば、プロセッサは、測定コンポーネント、または独立した選択コンポーネントを介して、記憶されたサービスプリファレンスのセット（例えば、サービスプリファレンステーブル６００）をレビューし、プリファレンスの順序を決定し得る。プリコーディング行列インジケータおよびチャネル品質インジケータ（ＣＱＩ）などの現在のチャネルステータス測定値（channel status measurement）は、ワイヤレス通信デバイスが、アンテナコンポーネントに対するチャネルレイヤのどのマッピングが現在のサービスの必要性に最も適しているかを決定することを可能にし得る。様々な態様では、ワイヤレス通信デバイスは、測定されたネットワークステータス特性（measured network status characteristic）に基づいて、記憶されたサービスプリファレンスがプライマリサービスプリファレンスになるように、および第２のサービスプリファレンスが、セカンダリサービスプリファレンスになるように選択し得、これは、ネットワークリソース可用性（network resource availability）のインジケーションを提供し得る。送信コンポーネントは、ネットワークリソースの使用についての所望の構成を要求するために、ネットワークリソースに対して、選択されたプライマリサービスプリファレンスおよびセカンダリサービスプリファレンスのインジケーションを送信し得る。いくつかのインプリメンテーションでは、送信コンポーネントは、ネットワークに、ＣＱＩなどの情報をネットワークに提供するために、チャネルステータス情報報告（channel status information report）においてチャネルステータス測定値を送信し、ネットワークがリソースを割り振るのを助け得る。
【００５４】
[0066]  様々な態様では、インジケーションを送信することは、チャネル状態情報を送信することを含み得る。プライマリサービスプリファレンスは、第１のプリコーディング行列インジケータ（first pre-coding matrix indicator）および第１のランクインジケータ（第１のランクインジケータ）を含み、セカンダリサービスプリファレンスは、第２のＰＭＩおよび第２のＲＩを含み得る。いくつかの構成では、プライマリサービスプリファレンスは、ワイヤレス通信デバイスのアンテナおよびＲＡＴの第１の構成（first configuration）に関連付けられ得、セカンダリサービスプリファレンスは、アンテナおよびＲＡＴの第２の構成（second configuration）に関連付けられ得る。ワイヤレス通信デバイスの異なるアンテナ上でサポートされることになるＲＡＴの構成は、記憶されたプリファレンスにわたって異なり得る。例示的なプライマリサービスプリファレンスは、４つのレイヤの、ラインセンスＬＴＥサポート要求に関連付けられ得、一方、セカンダリサービス要求は、２つのレイヤのライセンスＬＴＥ要求に関連付けられ得、これは、受け付けられた場合、ワイヤレス通信デバイスが他のＲＡＴをサポートするために、残りの２つのアンテナを利用することを可能にするであろう。様々な態様では、各サービスプリファレンスは、所望のレイヤ数およびＰＭＩを示し得る。いくつかの態様では、サービスプリファレンスは、チャネル品質インジケータ（ＣＱＩ）をさらに示し得る。
【００５５】
[0067]  様々な態様では、ワイヤレス通信デバイスは、プライマリサービスプリファレンスのインジケーションおよびセカンダリサービスプリファレンスのインジケーションとともに、ＣＳＩ報告を送信し得る。
【００５６】
[0068]  いくつかのインプリメンテーションでは、ワイヤレス通信デバイスのトランシーバ（例えば、図１０のトランシーバ１００２）は、送信コンポーネントを介して、いくつかのＰＭＩおよびＲＩを有する１つまたは複数のセカンダリサービスプリファレンスおよびプライマリサービスプリファレンスのインジケーションを送信し得る。
【００５７】
[0069]  ブロック７０６において、ワイヤレス通信デバイスのトランシーバは、受信コンポーネントを介して、ネットワークからチャネルレイヤ構成を受信し得る。ネットワークから受信されたチャネルレイヤ構成は、プライマリサービスプリファレンスおよびセカンダリサービスプリファレンスの送信されたインジケーションに応答して、に少なくとも部分的に基づき得る。例えば、ネットワークは、プライマリおよびセカンダリサービス要求を受信し、１つまたは複数のＲＡＴについての所望のレイヤをサポートするネットワークチャネル容量を評価し得る。現在のネットワークチャネル容量が、現在のユーザと、プライマリサービスプリファレンスによって要求されるレイヤとをサポートするのに十分である場合には、ネットワークは、プライマリサービスプリファレンスに関連付けられた構成を採用し得る。
【００５８】
[0070]  しかしながら、現在のネットワークチャネル容量が、既存のユーザと、プライマリサービスプリファレンスに関連付けられた構成とをサポートするのに不十分である場合には、ネットワークは「ダウン選択（down select）」し得る。ダウン選択は、ワイヤレス通信デバイスによって要求されるよりも少ないリソースのネットワークによる割当てを含む。ダウン選択は、セカンダリサービスプリファレンス、第３のサービスプリファレンス、またはネットワークにより確立されたリソース構成に対するものであり得る。
【００５９】
[0071]  したがって、様々な態様では、受信されたチャネルレイヤ構成は、ネットワーク容量（network capacity）と、送信されたプライマリサービスプリファレンスおよび送信されたセカンダリサービスプリファレンスとに少なくとも部分的に基づいて選択された、ネットワークによって採用されたチャネル容量（channel capacity）であり得る。
【００６０】
[0072]  ブロック７０８において、ワイヤレス通信デバイスのプロセッサは、サービスサポートコンポーネントを介して、チャネルレイヤ構成に少なくとも部分的に基づいて、プライマリサービスまたはセカンダリサービスをサポートし得る。サービスをサポートすることは、識別されたＲＡＴ（identified RAT）をワイヤレス通信デバイスの複数のアンテナに割り当てることと、その後、ワイヤレス通信デバイスによって実行中であるか、または実行のためにキューに入れられた（queued）様々なサービスを、割り当てられたＲＡＴに割り当てることとを含み得る。
【００６１】
[0073]  様々な態様は、ワイヤレス通信デバイスのＲＡＴ構成プリファレンスに基づいて、ネットワークダウン選択を可能にするためのそれらの方法をインプリメントするための方法、システム、およびデバイスを含む。様々な方法は、ワイヤレス通信デバイスのトランシーバによって、プライマリサービスのためのプライマリサービスプリファレンスおよびセカンダリサービスのためのセカンダリサービスプリファレンスのインジケーションを送信することと、トランシーバによって、プライマリサービスプリファレンスおよびセカンダリサービスプリファレンスの送信されたインジケーションに少なくとも部分的に応答して、ネットワークから無線アクセス技術サポート構成を受信することと、チャネルレイヤ構成に少なくとも部分的に基づいて、サービスをサポートすることと、を含み得る。
【００６２】
[0074]  いくつかの態様は、ワイヤレス通信デバイスによって、ネットワークのステータス特性を測定することをさらに含み得る。このような態様では、ワイヤレス通信デバイスによって、ネットワークのステータス特性を測定することは、ロングタームエボリューション（ＬＴＥ）ネットワークの知覚されたチャネルの特性を測定することを含み得る。
【００６３】
[0075]  いくつかの態様では、ワイヤレス通信デバイスのトランシーバによって、プライマリサービスプリファレンスおよびセカンダリサービスプリファレンスのインジケーションを送信することは、チャネル状態情報を送信することを含み得、ここにおいて、プライマリサービスプリファレンスは、第１のプリコーディング行列インジケータおよび第１のランクインジケータを含み、セカンダリサービスプリファレンスは、第２のＰＭＩおよび第２のＲＩを含む。
【００６４】
[0076]  いくつかの態様では、ワイヤレス通信デバイスのトランシーバによって、プライマリサービスプリファレンスおよびセカンダリサービスプリファレンスのインジケーションを送信することは、ネットワークステータス測定に少なくとも部分的に基づき得る。
【００６５】
[0077]  いくつかの態様では、プライマリサービスプリファレンスは、ワイヤレス通信デバイスのアンテナおよびＲＡＴの第１の構成に関連付けられ得、セカンダリサービスプリファレンスは、アンテナおよびＲＡＴの第２の構成に関連付けられ得る。
【００６６】
[0078]  いくつかの態様では、チャネルレイヤ構成は、ネットワーク容量と、送信されたプライマリサービスプリファレンスおよび送信されたセカンダリサービスプリファレンスとに少なくとも部分的に基づいて選択された、ネットワークによって採用されたチャネル容量であり得る。
【００６７】
[0079]  いくつかの態様では、チャネルレイヤ構成は、ネットワークダウン選択構成（network down selection configuration）であり得る。
【００６８】
[0080]  いくつかの態様では、チャネルレイヤ構成に少なくとも部分的に基づいてサービスをサポートすることは、識別されたＲＡＴをワイヤレス通信デバイスの複数のアンテナに割り当てることを含み得る。
【００６９】
[0081]  いくつかの態様では、サービスプリファレンスの各インジケーションは、チャネルレイヤの数と、所望のチャネルレイヤのためのＰＭＩとを含み得る。
【００７０】
[0082]  いくつかの態様では、ワイヤレス通信デバイスのトランシーバによって、プライマリサービスプリファレンスのインジケーションおよびセカンダリサービスプリファレンスを送信することは、プライマリサービスプリファレンスのインジケーションを有する第１の報告と、セカンダリサービスプリファレンスのインジケーションを有する第２の報告とを送信することを含み得る。
【００７１】
[0083]  様々な態様は、ワイヤレス通信デバイス、上記で参照された方法を実行するための手段を有するワイヤレス通信デバイス、ならびに上記の方法を実行するための命令を有する非一時的なプロセッサ可読媒体（non-transitory processor-readable media）をさらに含み得る。
【００７２】
[0084]  図８は、ワイヤレス通信の方法の概念フローチャート８００である。図１〜図８を参照すると、方法８００は、ワイヤレス通信デバイス／ネットワークデバイス（例えば、ＵＥ１０４／基地局１０２、装置８０２／９０２ｄ’）によって実行され得る。装置８０２は、ｅＮＢ９５０（例えば、基地局１０２）などのネットワークデバイスからネットワークリソース構成を取得するコンポーネントのセット（例えば、アンテナサポートコンポーネント１９６）を有し得る。
【００７３】
[0085]  ワイヤレス通信デバイスの測定コンポーネント８０６は、ワイヤレス通信デバイスをｅＮＢ８５０にリンクするネットワークチャネルのステータス特性を測定し得る。例えば、ステータス特性は、ワイヤレス通信デバイスがそれと通信状態にあるワイヤレス通信ネットワークの知覚されたチャネルの特性を含み得る。測定コンポーネントは、測定コンポーネント、または独立した選択コンポーネントを介して、記憶されたサービスプリファレンスのセット（例えば、サービスプリファレンステーブル６００）をレビューし、プリファレンスの順序を決定し得る。様々な態様では、ワイヤレス通信デバイスは、測定されたネットワークステータス特性に基づいて、記憶されたサービスプリファレンスがプライマリサービスプリファレンスになるように、および第２のサービスプリファレンスが、セカンダリサービスプリファレンスになるように選択し得、これは、ネットワークリソース可用性のインジケーションを提供し得る。
【００７４】
[0086]  ワイヤレス通信デバイスのトランシーバに結合されるか、またはそのコンポーネントであり得る送信コンポーネント８１０（例えば、図７および図１０の送信コンポーネント８１０）では、プライマリサービスプリファレンスおよびセカンダリサービスプリファレンスのインジケーションを送信し得る。送信コンポーネントは、ネットワークリソースの使用についての所望の構成を要求するために、ｅＮＢ８５０に対して、選択されたプライマリサービスプリファレンスおよびセカンダリサービスプリファレンスのインジケーションを送信し得る。
【００７５】
[0087]  様々な態様では、送信コンポーネント８１０は、チャネル状態情報を送信し得る。プライマリサービスプリファレンスは、第１のプリコーディング行列インジケータおよび第１のランクインジケータを含み、セカンダリサービスプリファレンスは、第２のＰＭＩおよび第２のＲＩを含み得る。いくつかの構成では、プライマリサービスプリファレンスは、ワイヤレス通信デバイスのアンテナおよびＲＡＴの第１の構成に関連付けられ得、セカンダリサービスプリファレンスは、アンテナおよびＲＡＴの第２の構成に関連付けられ得る。ワイヤレス通信デバイスの異なるアンテナ上でサポートされることになるＲＡＴの構成は、記憶されたプリファレンスにわたって異なり得る。例示的なプライマリサービスプリファレンスは、４つのレイヤの、ラインセンスＬＴＥサポート要求に関連付けられ得、一方、セカンダリサービス要求は、２つのレイヤのライセンスＬＴＥ要求に関連付けられ得、これは、受け付けられた場合、ワイヤレス通信デバイスが他のＲＡＴをサポートするために、残りの２つのアンテナを利用することを可能にするであろう。様々な態様では、各サービスプリファレンスは、所望のレイヤ数およびＰＭＩを示し得る。
【００７６】
[0088]  トランシーバに結合されるかまたは独立であり得る受信コンポーネント８０８において、ワイヤレス通信デバイスは、ネットワークから無線アクセス技術（ＲＡＴ）サポート構成を受信し得る。ネットワークから受信されたチャネルレイヤ構成は、送信されたプライマリサービスプリファレンスおよび送信されたセカンダリサービスプリファレンスに応答して、に少なくとも部分的に基づき得る。様々な態様では、受信されたチャネルレイヤ構成は、ネットワーク容量と、送信されたプライマリサービスプリファレンスおよび送信されたセカンダリサービスプリファレンスとに少なくとも部分的に基づいて選択された、ネットワークによって採用されたチャネル容量であり得る。
【００７７】
[0089]  受信コンポーネント８０８において、サービスサポートコンポーネントは、チャネルレイヤ構成に少なくとも部分的に基づいて、ＲＡＴ上でサービスをサポートし得る。サービスをサポートすることは、識別されたＲＡＴをワイヤレス通信デバイスの複数のアンテナに割り当てることと、その後、ワイヤレス通信デバイスによって実行中であるか、または実行のためにキューに入れられた様々なサービスを、割り当てられたＲＡＴに割り当てることとを含み得る。
【００７８】
[0090]  図９は、処理システム９１４を用いる装置９０２’のためのハードウェアインプリメンテーションの例を例示する図９００である。処理システム９１４は、概してバス９２４によって表される、バスアーキテクチャを用いてインプリメントされ得る。バス９２４は、処理システム９１４の特定のアプリケーションおよび全体的な設計制約に依存して、任意の数の相互接続バスおよびブリッジを含み得る。バス９２４は、プロセッサ９０４、コンポーネント８０４、８０６、８０８、８１０、およびコンピュータ可読媒体／メモリ９０６によって表される、１つまたは複数のプロセッサおよび／またはハードウェアコンポーネントを含む様々な回路を共にリンクする。バス９２４はまた、タイミングソース、周辺機器、電圧レギュレータ、および電力管理回路などの様々な他の回路をリンクさせ得、これらは、当該技術分野において周知であり、したがって、これ以上は説明されない。
【００７９】
[0091]  処理システム９１４は、トランシーバ９１０に結合され得る。トランシーバ９１０は、１つまたは複数のアンテナ９２０に結合される。トランシーバ９１０は、送信媒体を介して様々な他の装置と通信するための手段を提供する。トランシーバ９１０は、１つまたは複数のアンテナ９２０から信号を受信し、受信された信号から情報を抽出し、抽出された情報を処理システム９１４、具体的には受信コンポーネント８０４に提供する。加えて、トランシーバ９１０は、処理システム９１４、具体的には送信コンポーネント８１０から情報を受信し、受信された情報に基づいて、１つまたは複数のアンテナ９２０に適用されることになる信号を生成する。処理システム９１４は、コンピュータ可読媒体／メモリ９０６に結合されたプロセッサ９０４を含む。プロセッサ９０４は、コンピュータ可読媒体／メモリ９０６に記憶されたソフトウェアの実行を含む、汎用処理を担う。ソフトウェアは、プロセッサ９０４によって実行されると、処理システム９１４に、任意の特定の装置に関して上記で説明された様々な機能を実行させる。コンピュータ可読媒体／メモリ９０６はまた、ソフトウェアを実行するとき、プロセッサ９０４によって操作されるデータを記憶するために使用され得る。処理システム９１４は、コンポーネント８０４、８０６、８０８、８１０のうちの少なくとも１つをさらに含む。コンポーネントは、プロセッサ９０４において実行中の、コンピュータ可読媒体／メモリ９０６中に存在する／記憶されたソフトウェアコンポーネント、プロセッサ９０４に結合された１つまたは複数のハードウェアコンポーネント、またはこれらの何らかの組合せであり得る。処理システム９１４は、ＵＥ３５０のコンポーネントであり得、メモリ３６０、および／またはＴＸプロセッサ３６８、ＲＸプロセッサ３５６、およびコントローラ／プロセッサ３５９のうちの少なくとも１つを含み得る。
【００８０】
[0092]  一構成では、ワイヤレス通信のための装置８０２／９０２’は、ネットワークステータス特性を測定することと、プライマリおよびセカンダリサービスプリファレンスのインジケーションを送信することと、チャネルレイヤ構成を受信することと、サービスをサポートすることと、のための手段を含む。前述の手段は、前述の手段によって記載された機能を実行するように構成された装置９０２’の処理システム９１４および／または装置８０２の前述のコンポーネントのうちの１つまたは複数であり得る。上記で説明されたように、処理システム９１４は、ＴＸプロセッサ３６８、ＲＸプロセッサ３５６、およびコントローラ／プロセッサ３５９を含み得る。したがって、一構成では、前述の手段は、前述の手段によって記載された機能を実行するよう構成されたＴＸプロセッサ３６８、ＲＸプロセッサ３５６、およびコントローラ／プロセッサ３５９であり得る。
【００８１】
[0093]  図１０を参照すると、ＵＥ１０４のインプリメンテーションの一例が、様々なコンポーネントを含み得、そのうちのいくつかは、すでに上記で説明されたが、１つまたは複数のバス１０４４を介して通信状態にある１つまたは複数のプロセッサ１０１２ならびにメモリ１０１６およびトランシーバ１００２などのコンポーネントを含み、それらは、ネットワーク基地局に複数のサービスプリファレンスを提供することに関連した本明細書に説明される機能のうちの１つまたは複数を可能にするために、モデム１４０およびアンテナサポートコンポーネント１９６と連携して動作し得る。さらに、１つまたは複数のプロセッサ１０１２、モデム１０１４、メモリ１０１６、トランシーバ１００２、ＲＦフロントエンド１０８８、および１つまたは複数のアンテナ１０８６は、１つまたは複数の無線アクセス技術において（同時または非同時に）音声および／またはデータ呼をサポートするように構成され得る。
【００８２】
[0094]  ある態様では、１つまたは複数のプロセッサ１０１２は、１つまたは複数のモデムプロセッサを使用するモデム１０１４を含み得る。アンテナサポートコンポーネント１９６に関連した様々な機能は、モデム１４０および／またはプロセッサ１０１２に含まれ得、ある態様では、単一のプロセッサによって実行され得、一方、他の態様では、機能のうちの異なるものが、２つ以上の異なるプロセッサの組合せによって実行され得る。例えば、ある態様では、１つまたは複数のプロセッサ１０１２は、モデムプロセッサ、またはベースバンドプロセッサ、またはデジタルシグナルプロセッサ、または送信プロセッサ、または受信機プロセッサ、またはトランシーバ１００２に関連付けられたトランシーバプロセッサのいずれか１つ、あるいはこれらの任意の組合せを含み得る。他の態様では、アンテナサポートコンポーネント１９６に関連付けられた１つまたは複数のプロセッサ１０１２および／またはモデム１４０の特徴のいくつかは、トランシーバ１００２によって実行され得る。
【００８３】
[0095]  また、メモリ１０１６は、本明細書で使用されるデータ、および／または、少なくとも１つのプロセッサ１０１２によって実行される、アプリケーション１２７５のローカルバージョンまたはアンテナサポートコンポーネント１９６および／またはそのサブコンポーネントのうちの１つまたは複数を記憶するように構成され得る。メモリ１０１６は、ランダムアクセスメモリ（ＲＡＭ）、読取専用メモリ（ＲＯＭ）、テープ、磁気ディスク、光ディスク、揮発性メモリ、不揮発性メモリ、およびこれらの任意の組合せなどの、コンピュータまたは少なくとも１つのプロセッサ１０１２によって使用可能な任意のタイプのコンピュータ可読媒体を含み得る。ある態様では、例えば、メモリ１０１６は、ＵＥ１０４が、アンテナサポートコンポーネント１９６および／またはそのサブコンポーネントのうちの１つまたは複数を実行するために、少なくとも１つのプロセッサ１０１２を動作させているとき、アンテナサポートコンポーネント１９６および／またはそのサブコンポーネントのうちの１つまたは複数を定義する１つまたは複数のコンピュータ実行可能コード、および／またはそれに関連付けられたデータを記憶する非一時的なコンピュータ可読記憶媒体（non-transitory computer-readable storage medium）であり得る。
【００８４】
[0096]  トランシーバ１００２は、少なくとも１つの受信機１００６と少なくとも１つの送信機１００８とを含み得る。受信機１００６は、データを受信するためにプロセッサによって実行可能なハードウェア、ファームウェア、および／またはソフトウェアコードを含み得、コードは、命令を備え、メモリ（例えば、コンピュータ可読媒体）に記憶される。受信機１００６は、例えば、無線周波数（ＲＦ）受信機であり得る。ある態様では、受信機１００６は、少なくとも１つの基地局１０２によって送信された信号を受信し得る。加えて、受信機１００６は、そのような受信された信号を処理し得、また、限定はしないが、Ｅｃ／Ｉｏ、ＳＮＲ、ＲＳＲＰ、ＲＳＳＩなどの、信号の測定値を取得し得る。送信機１００８は、データを送信するためにプロセッサによって実行可能なハードウェア、ファームウェア、および／またはソフトウェアコードを含み得、コードは、命令を備え、メモリ（例えば、コンピュータ可読媒体）に記憶される。送信機１００８の好適な例は、限定はしないが、ＲＦ送信機を含み得る。
【００８５】
[0097]  さらに、ある態様では、ＵＥ１０４は、ＲＦフロントエンド１０８８を含み得、これは、無線送信、例えば、少なくとも１つの基地局１２５によって送信されたワイヤレス通信またはＵＥ１０４によって送信されたワイヤレス送信を受信および送信するために、トランシーバ１００２および１つまたは複数のアンテナ１０６５と通信して動作し得る。ＲＦフロントエンド１０８８は、１つまたは複数のアンテナ１０６５に接続され得、ＲＦ信号を送信および受信するために、１つまたは複数の低雑音増幅器（ＬＮＡ）１０９０、１つまたは複数のスイッチ１０９２、１つまたは複数の電力増幅器（ＰＡ）１０９８、および１つまたは複数のフィルタ１０９６を含み得る。
【００８６】
[0098]  ある態様では、ＬＮＡ１０９０は、所望の出力レベルで、受信された信号を増幅し得る。ある態様では、各ＬＮＡ１０９０は、指定された最小および最大の利得値を有し得る。ある態様では、ＲＦフロントエンド１０８８は、特定のアプリケーションのための所望の利得値に基づいて、特定のＬＮＡ１０９０およびその指定された利得値を選択するために、１つまたは複数のスイッチ１０９２を使用し得る。
【００８７】
[0099]  さらに、例えば、１つまたは複数のＰＡ１０９８は、所望の出力電力レベルでＲＦ出力のための信号を増幅するために、ＲＦフロントエンド１０８８によって使用され得る。ある態様では、各ＰＡ１０９８は、指定された最小および最大の利得値を有し得る。ある態様では、ＲＦフロントエンド１０８８は、特定のアプリケーションのための所望の利得値に基づいて、特定のＰＡ１０９８およびその指定された利得値を選択するために、１つまたは複数のスイッチ１０９２を使用し得る。
【００８８】
[00100]  また、例えば、１つまたは複数のフィルタ１０９６は、受信された信号をフィルタリングして、入力ＲＦ信号を取得するために、ＲＦフロントエンド１０８８によって使用され得る。同様に、ある態様では、例えば、それぞれのフィルタ１０９６は、送信のための出力信号を生成するために、それぞれのＰＡ１０９８からの出力をフィルタリングするために使用され得る。ある態様では、各フィルタ１０９６は、特定のＬＮＡ１０９０および／またはＰＡ１０９８に接続され得る。ある態様では、ＲＦフロントエンド１０８８は、トランシーバ１００２および／またはプロセッサ１０１２によって指定された構成に基づいて、指定されたフィルタ１０９６、ＬＮＡ１０９０、および／またはＰＡ１０９８を使用する送信経路または受信経路を選択するために、１つまたは複数のスイッチ１０９２を使用し得る。
【００８９】
[00101]  したがって、トランシーバ１００２は、ＲＦフロントエンド１０８８を介して、１つまたは複数のアンテナ１０６５を通じてワイヤレス信号を送信および受信するように構成され得る。ある態様では、トランシーバは、ＵＥ１０４が、例えば、１つまたは複数の基地局１０５、あるいは１つまたは複数の基地局１０２に関連付けられた１つまたは複数のセルと通信し得るように、指定された周波数において動作するようにチューニング（tuned）され得る。ある態様では、例えば、モデム１４０は、ＵＥ１０４のＵＥ構成と、モデム１４０によって使用される通信プロトコルとに基づいて、指定された周波数および電力レベルで動作するようにトランシーバ１００２を構成し得る。
【００９０】
[00102]  ある態様では、モデム１４０は、マルチバンド−マルチモードモデムであり得、これは、デジタルデータを処理し、トランシーバ１００２と通信し得、これにより、デジタルデータは、トランシーバ１００２を使用して送受信される。ある態様では、モデム１４０は、マルチバンドであり、特定の通信プロトコルのための複数の周波数帯域をサポートするように構成され得る。ある態様では、モデム１４０は、マルチモードであり、複数のオペレーティングネットワーク（multiple operating networks）および通信プロトコルをサポートするように構成され得る。ある態様では、モデム１４０は、指定されたモデム構成に基づいて、ネットワークからの信号の受信および／または送信を可能にするために、ＵＥ１０４の１つまたは複数のコンポーネント（例えば、ＲＦフロントエンド１０８８、トランシーバ１００２）を制御し得る。ある態様では、モデム構成は、モデムのモードおよび使用中の周波数帯域に基づき得る。別の態様では、モデム構成は、セル選択および／またはセル再選択中にネットワークによって提供される、ＵＥ１０４に関連付けられたＵＥ構成情報に基づき得る。
【００９１】
[00103]  上記で説明されたように、ＵＥ１０００は、ＴＸプロセッサ３６８、ＲＸプロセッサ３５６、およびコントローラ／プロセッサ３５９を含み得る。したがって、一構成では、前述の手段は、前述の手段によって記載された機能を実行するよう構成されたＴＸプロセッサ３６８、ＲＸプロセッサ３５６、およびコントローラ／プロセッサ３５９であり得る。
【００９２】
[00104]  図１１を参照すると、基地局１０２のインプリメンテーションの一例が、様々なコンポーネントを含み得、そのうちのいくつかは、すでに上記で説明されたが、１つまたは複数のバス１１４４を介して通信状態にある１つまたは複数のプロセッサ１１１２ならびにメモリ１１１６およびトランシーバ１１０２などのコンポーネントを含み、それらは、現在のネットワークステータス（current network status）、ＵＥからのＣＳＩ報告、およびＵＥにより提示されたサービスプリファレンスに基づいて、要求しているＵＥにチャネルレイヤを割り当てることに関連した本明細書に説明される機能のうちの１つまたは複数を可能にするために、モデム１６０およびチャネルレイヤ割当てコンポーネント１９８と連携して動作し得る。
【００９３】
[00105]  トランシーバ１１０２、受信機１１０６、送信機１１０８、１つまたは複数のプロセッサ１１１２、メモリ１１１６、アプリケーション１０７５、バス１１４４、ＲＦフロントエンド１１８８、ＬＮＡ１１９０、スイッチ１１９２、フィルタ１１９６、ＰＡ１１９８、および１つまたは複数のアンテナ１１６５は、図１０を参照して説明されたような、ＵＥ１０４の対応するコンポーネントと同じまたは同様であるが、ＵＥ動作とは対照的に、基地局動作のために構成されるか、さもなければプログラムされ得る。
【００９４】
[00106]  基地局１０２は、（１つまたは複数の）プロセッサ１１２のコンポーネントを利用するいくつかのサブコンポーネントを有するチャネルレイヤ割当てコンポーネント１９８を有し得る。チャネルレイヤ割当てコンポーネント１９８は、ＵＥ１０４からＣＳＩ報告およびサービスプリファレンスを受信するように構成された受信コンポーネント１１３２を含み得る。ＣＳＩ報告コンポーネント１１３６は、チャネルの現在の特性を識別するために、報告を分析し得る。レイヤ選択コンポーネント（layer selection component）１１３８は、ＣＳＩ報告および現在のネットワーク使用情報に照らして、受信されたサービスプリファレンスをレビューし得、要求しているＵＥに割り当てるための適切なチャネルレイヤの数およびＰＭＩを決定し得る。この情報は、チャネルレイヤ構成の形で、送信コンポーネント１１３４によって、要求しているＵＥ１０４に送信され得る。
【００９５】
[00107]  上記で説明されたように、基地局１１００は、ＴＸプロセッサ３１６、ＲＸプロセッサ３５６、およびコントローラ／プロセッサ３５９を含み得る。したがって、一構成では、前述の手段は、前述の手段によって記載された機能を実行するよう構成されたＴＸプロセッサ３１６、ＲＸプロセッサ３７０、およびコントローラ／プロセッサ３７５であり得る。開示されたプロセス／フローチャートにおけるブロックの特定の順序または階層は、例示的なアプローチの例示であることが理解される。設計の選好に基づいて、プロセス／フローチャートにおけるブロックの特定の順序または階層は、並べ換えられ得ることが理解される。さらに、いくつかのブロックは、組み合わされるか、または省略され得る。添付の方法の請求項は、様々なブロックの要素をサンプルの順序で提示したものであり、提示された特定の順序または階層に限定されるようには意図されない。
【００９６】
[00108]  図１２は、ワイヤレス通信の方法の概念フローチャート１２００である。図１〜図７および図１２を参照すると、方法１２００は、ワイヤレス通信デバイス／ネットワークデバイス（例えば、基地局１０２、装置１２０２／１３０２’）によって実行され得る。装置１２０２は、ＵＥ１０４などのネットワークデバイスにチャネルレイヤを割り当てるコンポーネントのセット（例えば、チャネルレイヤ割当てコンポーネント１９８）を有し得る。
【００９７】
[00109]  受信コンポーネント１１３２は、ＵＥ１０４からＣＳＩ報告およびサービスプリファレンスを受信するように構成され得る。ＣＳＩ報告コンポーネント１１３６は、チャネルの現在の特性を識別するために、報告を分析し得る。レイヤ選択コンポーネント１１３８は、ＣＳＩ報告および現在のネットワーク使用情報に照らして、受信されたサービスプリファレンスをレビューし得、要求しているＵＥ１０４に割り当てるための適切なチャネルレイヤの数およびＰＭＩを決定し得る。この情報は、チャネルレイヤ構成の形で、送信コンポーネント１１３４によって、要求しているＵＥ１０４に送信され得る。
【００９８】
[00110]  図１３は、処理システム１３１４を用いる装置１３０２’のためのハードウェアインプリメンテーションの例を例示する図１３００である。処理システム１３１４は、概してバス１３２４によって表される、バスアーキテクチャを用いてインプリメントされ得る。バス１３２４は、処理システム１３１４の特定のアプリケーションおよび全体的な設計制約に依存して、任意の数の相互接続バスおよびブリッジを含み得る。バス１３２４は、プロセッサ１３０４、コンポーネント１１３２、１１３４、１１３６、１１３８、およびコンピュータ可読媒体／メモリ１３０６によって表される、１つまたは複数のプロセッサおよび／またはハードウェアコンポーネントを含む様々な回路を共にリンクする。バス１３２４はまた、タイミングソース、周辺機器、電圧レギュレータ、および電力管理回路などの様々な他の回路をリンクさせ得、これらは、当該技術分野において周知であり、したがって、これ以上は説明されない。
【００９９】
[00111]  処理システム１３１４は、トランシーバ１３１０に結合され得る。トランシーバ１３１０は、１つまたは複数のアンテナ１３２０に結合される。トランシーバ１３１０は、送信媒体を介して様々な他の装置と通信するための手段を提供する。トランシーバ１３１０は、１つまたは複数のアンテナ１３２０から信号を受信し、受信された信号から情報を抽出し、抽出された情報を処理システム１３１４、具体的には受信コンポーネント１１３２に提供する。加えて、トランシーバ１３１０は、処理システム１３１４、具体的には送信コンポーネント１１３４から情報を受信し、受信された情報に基づいて、１つまたは複数のアンテナ１３２０に適用されることになる信号を生成する。処理システム１３１４は、コンピュータ可読媒体／メモリ１３０６に結合されたプロセッサ１３０４を含む。プロセッサ１３０４は、コンピュータ可読媒体／メモリ１３０６に記憶されたソフトウェアの実行を含む、汎用処理を担う。ソフトウェアは、プロセッサ１３０４によって実行されると、処理システム１３１４に、任意の特定の装置に関して上記で説明された様々な機能を実行させる。コンピュータ可読媒体／メモリ１３０６はまた、ソフトウェアを実行するとき、プロセッサ１３０４によって操作されるデータを記憶するために使用され得る。処理システム１３１４は、コンポーネント１１３２、１１３４、１１３６、１１３８のうちの少なくとも１つをさらに含む。コンポーネントは、プロセッサ１３０４において実行中の、コンピュータ可読媒体／メモリ１３０６中に存在する／記憶されたソフトウェアコンポーネント、プロセッサ１３０４に結合された１つまたは複数のハードウェアコンポーネント、またはこれらの何らかの組合せであり得る。処理システム１３１４は、ｅＮＢ３１０のコンポーネントであり、メモリ３７６および／またはＴＸプロセッサ３１６、ＲＸプロセッサ３７０、およびコントローラ／プロセッサ３７５のうちの少なくとも１つを含み得る。
【０１００】
[00112]  一構成では、ワイヤレス通信のための装置１２０２／１３０２’は、ネットワークステータス特性を測定することと、プライマリおよびセカンダリサービスプリファレンスのインジケーションを送信することと、チャネルレイヤ構成を受信することと、サービスをサポートすることと、のための手段を含む。前述の手段は、前述の手段によって記載された機能を実行するように構成された装置１３０２’の処理システム１３１４および／または装置１２０２の前述のコンポーネントのうちの１つまたは複数であり得る。上記で説明されたように、処理システム１３１４は、ＴＸプロセッサ３１６、ＲＸプロセッサ３７０、およびコントローラ／プロセッサ３７５を含み得る。したがって、一構成では、前述の手段は、前述の手段によって記載された機能を実行するよう構成されたＴＸプロセッサ３１６、ＲＸプロセッサ３７０、およびコントローラ／プロセッサ３７５であり得る。
【０１０１】
[00113]  先の説明は、いかなる当業者であっても、本明細書で説明された様々な態様を実施することを可能にするように提供された。これらの態様への様々な修正は、当業者には容易に明らかとなり、本明細書で定義された一般原理は、他の態様に適用され得る。したがって、特許請求の範囲は、本明細書に示された態様に限定されるようには意図されず、特許請求の範囲の文言と一致する全範囲が与えられるものとし、ここで、単数形の要素への参照は、そのように明記されていない限り、「１つおよび１つのみ」を意味するようには意図されず、「１つまたは複数」を意味するように意図される。「例示的（exemplary）」という用語は、本明細書で「例、事例、または例示を提供する」という意味で使用される。本明細書で「例示的」と説明される任意の態様は、必ずしも他の態様よりも好ましいまたは有利であると解釈されるべきでない。別段に明記されていない限り、「いくつかの（some）」という用語は、１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはこれらの任意の組合せ」といった組合せは、Ａ、Ｂ、および／またはＣの任意の組合せを含み、複数のＡ、複数のＢ、または複数のＣを含み得る。特に、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはこれらの任意の組合せ」といった組合せは、Ａのみ、Ｂのみ、Ｃのみ、ＡとＢ、ＡとＣ、ＢとＣ、またはＡとＢとＣであり得、ここで、このような任意の組合せが、Ａ、Ｂ、またはＣのメンバーもしくは１つまたは複数のメンバーを含み得る。当業者に知られているか、または後に知られることとなる、本開示全体を通して説明された様々な態様の要素に対する全ての構造的および機能的な同等物は、参照によって本明細書に明確に組み込まれ、特許請求の範囲によって包含されるように意図される。さらに、本明細書で開示されたものはいずれも、そのような開示が特許請求の範囲において明記されているかどうかにかかわらず、公衆に放棄されるようには意図されない。「モジュール」、「メカニズム」、「要素」、「デバイス」、および同様の用語は、「手段（means）」という用語の代用になり得ない。したがって、いずれの請求項の要素も、その要素が「〜のための手段（means for）」という表現を使用して明記されていない限り、ミーンズプラスファンクションとして解釈されるべきではない。
【図１】
2021502024.tif 000003
【図２Ａ】
2021502024.tif 000004
【図２Ｂ】
2021502024.tif 000005
【図２Ｃ】
2021502024.tif 000006
【図２Ｄ】
2021502024.tif 000007
【図３】
2021502024.tif 000008
【図４】
2021502024.tif 000009
【図５】
2021502024.tif 000010
【図６】
2021502024.tif 000011
【図７】
2021502024.tif 000012
【図８】
2021502024.tif 000013
【図９】
2021502024.tif 000014
【図１０】
2021502024.tif 000015
【図１１】
2021502024.tif 000016
【図１２】
2021502024.tif 000017
【図１３】
2021502024.tif 000018
【国際調査報告】
2021502024.tif 000019
2021502024.tif 000020
2021502024.tif 000021
2021502024.tif 000022